(57)【要約】  カップ又は他の容器内に使用するための抗スプラッシュ装置は、流体の跳ね回ること、スプラッシュ、及び他の望まれない動きを防止する、又は最小化されるのに役立つことができる。いくつかの実施形態において、抗スプラッシュ装置は、複数の開口部を有しているメイン本体部を含む。抗スプラッシュ装置は、カップ又は他の容器の内壁を係合するように構成された１つ又は複数の特徴を含むこともできる。他の実施形態において、抗スプラッシュ装置は、カップの縁部又は蓋に取り付けることができる。他の実施形態において、抗スプラッシュ装置、カップの蓋、飲料の容器又は食料の容器に関連した任意の他の構成要素は、そのような装置を操作する場合に、ターゲットとされる接触点を提供する１つ又は複数のフィンガーガイドを備える。
2010510941.tif 000002
【特許請求の範囲】
【請求項１】
飲料容器内に配置されるために構成された抗スプラッシュ装置において、
抗スプラッシュ装置は、
複数の開口部を備えるメイン本体部であって、前記開口部がその内部を通じて流体の通路を可能にするために構成されるメイン本体部と、
前記メイン本体部から外側に延在している外側周囲縁部であって、前記容器に対して前記抗スプラッシュ装置の位置略しっかりと維持するように、前記容器の内壁と接触するように構成されている外側周囲縁部と、
を備え、
前記メイン本体部は、前記容器内に位置される場合、前記容器の縁部で、又は縁部の下に配置されるように構成されることを特徴とする抗スプラッシュ装置。
【請求項２】
前記抗スプラッシュ装置が前記容器内に固着される場合に、前記外側周囲縁部の少なくとも１部は、前記容器の内壁の形状に略一致するように構成されることを特徴とする請求項１に記載の抗スプラッシュ装置。
【請求項３】
前記メイン本体部は、略平面的な形状を備えることを特徴とする請求項１に記載の抗スプラッシュ装置。
【請求項４】
前記メイン本体部は、略非平面的な形状を備えることを特徴とする請求項１に記載の抗スプラッシュ装置。
【請求項５】
前記開口部の少なくとも１つは、略円形状を備えることを特徴とする請求項１に記載の抗スプラッシュ装置。
【請求項６】
前記開口部の少なくともいくつの前記開口部は、略円形パターンで配置されることを特徴とする請求項１に記載の抗スプラッシュ装置。
【請求項７】
前記外側周囲縁部は、チャンネルを備え、
前記チャンネルは、前記抗スプラッシュ装置が前記容器の内部内に下に移動されるにつれて、圧縮された状態になるように構成されていることを特徴とする請求項１に記載の抗スプラッシュ装置。
【請求項８】
前記メイン本体部は、把持部材を備え、
前記把持部材は、使用者が前記抗スプラッシュ装置を選択的に操作することを可能にするように構成されることを特徴とする請求項１に記載の抗スプラッシュ装置。
【請求項９】
前記メイン本体部は、オリフィスを備え、
前記オリフィスは、前記抗スプラッシュ装置を選択的に操作することを可能にするように構成されることを特徴とする請求項１に記載の抗スプラッシュ装置。
【請求項１０】
前記メイン本体部及び前記外側周囲縁部は、単一部材とされることを特徴とする請求項１に記載の抗スプラッシュ装置。
【請求項１１】
前記メイン本体部及び前記外側周囲縁部は、熱可塑性材料から成ることを特徴とする請求項１０に記載の抗スプラッシュ装置。
【請求項１２】
前記メイン本体部は、上面及び底面を含み、
前記上面及び前記底面の少なくとも１つは、複数のリブを備えていることを特徴とする請求項１に記載の抗スプラッシュ装置。
【請求項１３】
前記メイン本体部及び前記外側周囲縁部の少なくとも１つは、前記容器の蓋又は他の閉鎖部材に接続されることを特徴とする請求項１に記載の抗スプラッシュ装置。
【請求項１４】
飲料容器のための蓋であって、
前記蓋は、
前記容器の上縁部を係合するために構成された外側フランジ又はリップと、
前記蓋が前記容器に固着される場合に、前記容器の壁と略平行であるように構成された内側部分と、
少なくとも１つのすすり孔と、
を備えているカバー部材、及び
複数の開口部及び周囲縁部を備えている抗スプラッシュ装置であって、前記周囲縁部が前記カバー部材の前記内側部分を少なくとも部分的に係合するように構成される抗スプラッシュ装置、
を備えることを特徴とする蓋。
【請求項１５】
前記カバー部材及び前記抗スプラッシュ装置は、単一の構造を形成することを特徴とする請求項１４に記載の蓋。
【請求項１６】
前記抗スプラッシュ装置は、前記カバー部材から選択的に取り外し可能とされることを特徴とする請求項１４に記載の蓋。
【請求項１７】
前記抗スプラッシュ装置は、スナップ接続を使用して、前記カバー部材に選択的に固着されるように構成されることを特徴とする請求項１６に記載の蓋。
【請求項１８】
飲料容器の外側に望まれていないこぼれを低減するための方法であって、
複数の開口部と、前記飲料容器の内壁をぴったりと係合するように構成された外側周囲縁部と、を備えている抗スプラッシュ装置を準備するステップと、
前記飲料容器の内部内に前記抗スプラッシュ装置を位置付けるステップと、
前記外側周囲縁部が前記飲料容器の内壁をぴったりと係合するように、前記飲料容器の縁部で、又は縁部の下に、位置の下に前記抗スプラッシュ装置を移動し、前記外側周囲縁部の少なくとも１部が、前記抗スプラッシュ装置が下に移動されるにつれて、前記飲料容器の内壁の形状を接触し、且つ略一致するように構成されるステップと、
を備えることを特徴とする方法。
【請求項１９】
前記容器の上部に蓋又は他の閉鎖部材を配置するステップをさらに備えていることを特徴とする請求項１８に記載の方法。
【請求項２０】
前記抗スプラッシュ装置を位置付け、且つ移動するステップは、把持部材によって前記抗スプラッシュ装置を操作するステップを備えていることを特徴とする請求項１８に記載の方法。
【発明の詳細な説明】
【技術分野】
【０００１】
［関連出願に対する相互参照］
この出願は、２００６年１１月２８日付で提出された米国仮出願第６０／８６１，５０８号及び２００７年５月４日付で提出された米国仮出願第６０／９１６，２６６号の優先権を３５  Ｕ．Ｓ．Ｃ．  §  １１９（ｅ）の下で主張し、それらの全体は、本願明細書を参照して、本願明細書に組み込まれる。
【０００２】
この出願は、容器のための一般的なバリア部材に関し、特にカップ及び他の飲料容器のためのバリア部材を組み込んでいる抗スプラッシュ装置及び蓋に関する。
【背景技術】
【０００３】
カップのための異なる種類の蓋は、飲料容器産業で周知である。さらに、様々な種類の蓋は、使い捨て可能なカップ又は他の容器（例えば、紙製のコーヒーカップ、ポリスチレン、プラスチック、又は紙製のソフトドリンクカップなど）のために存在する。通常、そのような蓋は、カップ内に含有された液体又は他の物質のこぼれることを防止するために、カップの上縁部を係合する。いくつかの蓋は、カップの内部にアクセスを提供するために構成された開口部を含む。しかしながら、必要性は、カップ内に含有された液体の跳ね回ること、スプラッシュ、及び望まれない移動を最小化する装置のために存在する。
【発明の概要】
【課題を解決するための手段】
【０００４】
本願のいくつかの実施形態によれば、飲料容器内に配置されるために構成された抗スプラッシュ装置において、抗スプラッシュ装置は、複数の開口部を備えるメイン本体部であって、前記開口部がその内部を通じて流体の通路を可能にするために構成されるメイン本体部と、前記メイン本体部から外側に延在している外側周囲縁部であって、前記容器に対して前記抗スプラッシュ装置の位置を略維持するように、前記容器の内壁と接触するように構成されている外側周囲縁部と、を備えている。いくつかの実施形態において、メイン本体部は、前記容器内に位置される場合、前記容器の縁部で、又は縁部の下に配置されるように構成される。
【０００５】
他の実施形態によれば、飲料容器のための蓋は、カバー部材と、複数の開口部及び周囲縁部を有している抗スプラッシュ装置を備え、前記周囲縁部は、前記カバー部材の内側部分を少なくとも部分的に係合するように構成されている。カバー部材は、容器の上縁部を係合するように構成された外側フランジ、蓋が容器に位置付けられる場合に、容器の壁と略平行に構成される内側部分と、少なくとも１つのすすり孔（ｓｉｐｐｉｎｇ  ｈｏｌｅ）と、を備える。
【０００６】
いくつかの実施形態において、飲料容器の外側に望まれないこぼれを低減するための方法であって、複数の開口部と、前記飲料容器の内壁をぴったりと係合するように構成された外側周囲縁部と、を備えている抗スプラッシュ装置を準備するステップと、前記飲料容器の内部内に前記抗スプラッシュ装置を位置付けるステップと、前記外側周囲縁部が前記飲料容器の内壁をぴったりと係合するように、前記飲料容器の縁部に、又は縁部の下に、位置の下に前記抗スプラッシュ装置を移動し、前記外側周囲縁部の少なくとも１部が、前記抗スプラッシュ装置が下に移動されるにつれて、前記飲料容器の内壁の形状を接触し、且つ略一致するように構成されるステップと、を含む。
【０００７】
抗スプラッシュ装置は、有利には、カップ内に含有された飲料（又は他の液体）の上面と、使用者がそのカップ（例えば、すすり孔、他の開口部、カップの上縁部、など）の内部にアクセスすることができる位置との間で、位置付けられることができる。いくつかの実施形態において、そのような抗スプラッシュ装置は、飲料又は他の液体の望まれないスプラッシュ又は他の動きを防止することができる。さらに、前記抗スプラッシュ装置は、飲料を断熱するのに役立つことができる。
【０００８】
いくつかの実施形態において、カップ内に配置されるために構成された抗スプラッシュ装置は、カップ内の液体の上面と使用者が液体を飲むカップの上部との間に保持されるように構成されたメイン本体部又は接合部材を含む。メイン本体部又は接合部材は、複数の開口部を含み、該複数の開口部を通じて、空気、液体、又は他の流体が通過することができる。
【０００９】
一の実施形態において、抗スプラッシュ装置は、カップ内に含有された飲料の液体表面と略平行に維持されるように構成されたメイン本体部（例えば、平坦な部分）と、前記メイン本体部に位置付けられた複数の開口部と、を含む。メイン本体部は、好ましくは、カップの縁部で又はカップの縁部の下に配置される。本願明細書で使用されるように、「平坦な」との用語は、広義語であり、限定されることなく、平面状、非平面状、湾曲形状（例えば、凸面状、凹面状）、ドーム状、球状、円錐形状、段状、波形状、カール状、溝状、チャンネル状、不規則な形状、及び／又は同様のものを含むことができる。
【００１０】
一の実施形態において、メイン本体部は、略円形状を備える。他の実施形態において、メイン本体部における複数の開口部の少なくとも１つの開口部は、略円形状を有する。一の実施形態において、メイン本体部は、カップに対して、メイン本体部の位置を維持するように、カップの内壁又は蓋を係合するように構成される可撓性を有する外側部分を含む。
【００１１】
一の実施形態において、抗スプラッシュ装置は、メイン本体部に取り付けられ、且つカップの内壁又は蓋を係合するように構成される外側壁部を追加して含む。他の実施形態において、抗スプラッシュ装置はまた、カップの縁部の少なくとも１部又は蓋を係合するように構成されるホック要素を含む。
【００１２】
一の実施形態において、抗スプラッシュ装置の少なくとも１部は、使い捨て可能である。他の実施形態において、抗スプラッシュ装置の少なくとも１部は、再利用可能である。いくつかの実施形態において、抗スプラッシュ装置のメイン本体部は、プラスチック材料を含む。さらなる他の実施形態において、抗スプラッシュ装置のメイン本体部は、紙材料を含む。
【００１３】
一の実施形態において、抗スプラッシュ装置は、カップを有する単一部材として形成される。他の実施形態において、抗スプラッシュ装置は、ポリスチレンを含む。他の実施形態において、抗スプラッシュ装置がカップ内に位置付けられる場合に、抗スプラッシュ装置のメイン本体部は、カップ内に含有された液体を断熱するように構成される。
【００１４】
一の実施形態において、飲料容器のための蓋は、カバー部を含む。カバー部は、カップの上縁部を係合するように構成された外側フランジと、蓋がカップに位置付けられる場合に、カップの壁と略平行になるように構成された内部円筒壁と、少なくとも１つのすすり孔と、を含む。蓋は、メイン本体部及び外側壁部を備える抗スプラッシュ装置を追加して含む。抗スプラッシュ装置は、複数の開口部を含む。外側壁部は、メイン本体部に取り付けられ、カバー部の内側円筒壁を係合するように構成される。
【００１５】
いくつかの実施形態において、カバー部及び抗スプラッシュ装置は、単一部材である。他の実施形態において、カバー部及び抗スプラッシュ装置は、別個の部材とされる。一の実施形態において、カバー部及び抗スプラッシュ装置は、摩擦によって一緒に保持されるように構成される。さらなる他の実施形態において、蓋の少なくとも１部は、使い捨て可能である。
【００１６】
いくつかの実施形態において、蓋、抗スプラッシュ装置、又は任意の他の構成要素、飲料容器又は食料容器に関連したアクセサリーは、１つ又は複数のフィンガーガイド又は他の接触点を備える。いくつかの実施形態において、そのようなフィンガーガイド又は接触点は、押圧力、引張力、及び／又は任意の他の種類の力又はモーメントを作用するために、ターゲットとされる接触点を提供する。フィンガーガイド又は接触点は、１つ又は複数の囲まれている領域より相対的に高い力、モーメント、又は応力に適合させるように、構造的に補強されることができる。さらに、使用者が戦略的に位置付けられた特定の配置で、フィンガーガイドを有している蓋、抗スプラッシュ装置、他の構成要素のみを接触するように、促進される、又は向けられるように、そのようなフィンガーガイドは、衛生的な利点を提供する。
【００１７】
いくつかの実施形態において、カップ又は蓋に配置するために構成される抗スプラッシュ装置は、メイン本体部と、メイン本体部に位置付けられた複数の開口部と、を備える。メイン本体部は、抗スプラッシュ装置を操作する場合に、ターゲットとされた接触点を提供する１つ又は複数のフィンガーガイドを含む。いくつかの実施形態において、抗スプラッシュ装置は、１つ、２つ、３つ、又は複数のフィンガーガイドを備える。
【００１８】
他の実施形態において、飲料容器の上縁部と結合するように構成された蓋は、飲料容器の縁部に固着するように構成された底部フランジと、上面と、を備える。上面は、飲料容器に対して蓋を位置付ける場合に、ターゲットとされた接触点を提供する少なくとも１つのフィンガーガイドを備える。いくつかの実施形態において、蓋は、１つ、２つ、３つ、又は複数のフィンガーガイドを備える。
【００１９】
それらの特徴及び他の特徴、態様、本願明細書の利点は、特定の好ましい実施形態の図面を参照して記述され、該図面は、図示することを意図するものであり、本願明細書における開示を制限するものではない。図面は、６０個の図を含む。添付された図面が図示のコンセプトの目的であり、縮尺が正しくない場合があることは、理解されるべきである。
【図面の簡単な説明】
【００２０】
【図１Ａ】一の実施形態による円形状の抗スプラッシュ装置の斜視図である。
【図１Ｂ】図１Ａの抗スプラッシュ装置の上面図である。
【図１Ｃ】図１Ａの抗スプラッシュ装置の断面図である。
【図２】他の実施形態による抗スプラッシュ装置の上面図である。
【図３Ａ】一の実施形態による抗スプラッシュ装置における開口部の上面図である。
【図３Ｂ】図３Ａの開口部の断面図である。
【図４Ａ】他の実施形態による抗スプラッシュ装置における開口部の上面図である。
【図４Ｂ】図４Ａの開口部の断面図である。
【図５】カップの内部に位置付けられた抗スプラッシュ装置の一の実施形態の斜視図である。
【図６】一の実施形態によるカップの壁部と抗スプラッシュ装置との間の接合面の詳細な断面図である。
【図７Ａ】一の実施形態による抗スプラッシュ装置の縁部の詳細な上面図である。
【図７Ｂ】他の実施形態による抗スプラッシュ装置の縁部の詳細な上面図である。
【図７Ｃ】さらなる他の実施形態による抗スプラッシュ装置の縁部の詳細な上面図である。
【図８Ａ】一の実施形態による２組のオフセット開口部を備えている抗スプラッシュ装置の上面図である。
【図８Ｂ】図８Ａの抗スプラッシュ装置の断面図である。
【図９Ａ】抗スプラッシュ装置の他の実施形態の斜視図である。
【図９Ｂ】カップの内部に位置づけられる図９Ａの抗スプラッシュ装置を公開するために、カップの壁の一部が隠された状態であるカップの斜視図である。
【図１０】一の実施形態による抗スプラッシュ装置を備えているカップ内に形成されるように構成された紙製の切抜の上面図である。
【図１１Ａ】カップ内に位置付けられた抗スプラッシュ装置の他の実施形態の斜視図である。
【図１１Ｂ】図１１Ａのカップ及び抗スプラッシュ装置の詳細な断面図である。
【図１１Ｃ】カップ内に位置付けられた抗スプラッシュ装置のさらなる他の実施形態の斜視図である。
【図１２Ａ】カップのための蓋又は他のカバー部材によって保持されるように構成される抗スプラッシュ装置の一の実施形態の斜視図である。
【図１２Ｂ】図１２Ａの抗スプラッシュ装置の上面図である。
【図１２Ｃ】図１２Ａの抗スプラッシュ装置の側面図である。
【図１３Ａ】抗スプラッシュ装置を受容するように構成されたカップの蓋の一の実施形態の斜視図である。
【図１３Ｂ】図１３Ａのカップの蓋の断面図である。
【図１３Ｃ】図１３Ａのカップの蓋の外側部分の詳細な断面図である。
【図１４Ａ】下部に沿って抗スプラッシュ装置を備えている図１３Ａのカップの蓋の断面図である。
【図１４Ｂ】図１４Ａの蓋の外側部分及び抗スプラッシュ装置の詳細な断面図である。
【図１５】抗スプラッシュ装置を備え、一の端部にカップの縁部及び他の端部に蓋を受容するように構成される中間部材の一の実施形態の斜視図である。
【図１６Ａ】一の実施形態による旅行用マグカップの斜視図である。
【図１６Ｂ】マグカップの壁の一部がそこに位置づけられる抗スプラッシュ装置を公開するために隠される状態で、図１６Ａの旅行用マグカップの斜視図である。
【図１７Ａ】一の実施形態による略丸い形状を有している抗スプラッシュ装置の断面図である。
【図１７Ｂ】他の実施形態による略丸い形状を有している抗スプラッシュ装置の断面図である。
【図１７Ｃ】さらなる他の実施形態による略丸い形状を有している抗スプラッシュ装置の断面図である。
【図１７Ｄ】一の実施形態による略溝状又はさざ波形状を有する抗スプラッシュ装置の断面図である。
【図１８Ａ】一の実施形態による抗スプラッシュ装置を通じる開口部の断面図である。
【図１８Ｂ】一の実施形態による抗スプラッシュ装置を通じる開口部の断面図である。
【図１８Ｃ】他の実施形態による抗スプラッシュ装置を通じる開口部の断面図である。
【図１９Ａ】一の実施形態によるその底面に沿って複数のリブを有している抗スプラッシュ装置の上面図である。
【図１９Ｂ】図１９Ａの抗スプラッシュ装置の底面斜視図である。
【図２０Ａ】他の実施形態による抗スプラッシュ装置の斜視図である。
【図２０Ｂ】図２０Ａのライン２０Ａ−２０Ａに沿って切り取られた、図２０Ａの抗スプラッシュ装置の断面図である。
【図２１Ａ】一の実施形態によるカップの蓋に取り付けられた抗スプラッシュ装置の側面図である。
【図２１Ｂ】他の実施形態によるカップの蓋に取り付けられた抗スプラッシュ装置の側面図である。
【図２１Ｃ】一の実施形態によるカップの蓋に直接取り付けられた抗スプラッシュ装置の断面図である。
【図２２Ａ】さらなる他の実施形態による抗スプラッシュ装置の上面図である。
【図２２Ｂ】図２２Ａの抗スプラッシュ装置の断面図である。
【図２３Ａ】他の実施形態による抗スプラッシュ装置の斜視図である。
【図２３Ｂ】図２３Ａの抗スプラッシュ装置の縁部の部分断面図である。
【図２４】一の実施形態による複数のフィンガーガイドを備えている抗スプラッシュ装置の斜視図である。
【図２５Ａ】さらなる他の実施形態によれば、抗スプラッシュ装置の斜視図である。
【図２５Ｂ】図２５Ａの抗スプラッシュ装置の上面図である。
【図２５Ｃ】図２５Ａの抗スプラッシュ装置の側面図である。
【図２５Ｄ】図２５Ａの抗スプラッシュ装置の縁部の部分断面図である。
【図２５Ｅ】図２５Ａの抗スプラッシュ装置の上面図である。
【図２５Ｆ】図２５Ａの抗スプラッシュ装置の断面図である。
【図２６】一の実施形態による複数のフィンガーガイドを備えているカップの蓋の上面斜視図である。
【図２７】図２５のカップの蓋の異なる斜視図である。
【図２８】一の実施形態による複数のフィンガーガイドを含む、カップの蓋の凹所領域内に固着された抗スプラッシュ装置の底面斜視図である。
【発明を実施するための形態】
【００２１】
以下の議論及び本願明細書に参照される図は、容器内に配置された液体又は他の材料の望まれない跳ね回り、スプラッシュ、及びこぼれることを防止するための抗スプラッシュ装置及び方法の様々な実施形態を記述する。多数のそれらの実施形態は、特に、使い捨て可能なカップ、旅行用マグカップ、及び同様のもの内に実施するために、うまく位置される。しかしながら、本願明細書に記述された異なる実施形態に関連した特徴、他の利点、及び他の特性が、飲料を保持するように意図されるかどうかによらず、他の種類の容器及び保存装置内に組み込まれることができることは、明らかであるであろう。
【００２２】
抗スプラッシュ装置は、飲料又は他の材料のスプラッシュ、跳ね回り、及び／又は他の望まれない動きを排除する、又は低減するように、カップ又は他の容器内に、及び／又は飲料容器の蓋又は他の構成要素内に位置付けられることができる。いくつかの実施形態において、そのような装置はまた、カップ又は他の容器の内側及び／又は外側に、飲料の通常の流れを同時に可能にするのと同時に、飲料（温かい又は冷たい）を断熱するのに役立つことができる。本願明細書でより詳細に議論されるように、そのような装置の断熱性質は、特別に方向付けされた複数の開口部を通じて高められることができる。いくつかの配置により、抗スプラッシュ装置における開口部のサイズ及び形状は、抗スプラッシュ装置の孔又は他の開口部に亘って、流体の結合（ｂｏｎｄｉｎｇ）を促進するのに役立つことができる。これは、抗スプラッシュ装置に亘って、流体（例えば、温かい飲料、蒸気、温かい空気、外気、など）の逃避及び交換に対して、追加の熱的なバリアを生成するのに役立つことができる。そのような抗スプラッシュ装置はまた、抗スプラッシュ装置が配置されるカップ又は他の容器に構造的な支持を提供するように構成されることができる。さらに、それらの抗スプラッシュ装置は、紙製のカップ又は他の容器のシームを封止するのに役立つことができる。
【００２３】
図１Ａを参照して、抗スプラッシュ装置１０は、複数の開口部２０、２４を含む。示されるように、抗スプラッシュ装置１０は、略円形状を有することができる。代替的には、抗スプラッシュ装置１０は、例えば、多角形（例えば、三角形、正方形、矩形など）、長楕円形、楕円形又は同様のものなどの、任意の他の形状を有する場合がある。
【００２４】
さらに、抗スプラッシュ装置１０は、例えば、凸形状、凹形状、ドーム形状、球形状、円錐形状、段状、波形状、カール状、溝状、チャンネル状、不規則な形状、又は同様のものなど、略平面的な形状である、及び／又は非平面的な形状であることができる。
【００２５】
一の実施形態において、抗スプラッシュ装置１０の直径又は他の比較可能な寸法（例えば、長さ、幅など）は、約３．２５インチであることができる。しかしながら、抗スプラッシュ装置１０の直径又は他の比較可能な寸法は、特定の用途又は使用のために所望される、又は必要とされるように、３．２５インチより大きく、又は小さくなる場合がある。さらに、図１Ａの実施形態に示されるように、抗スプラッシュ装置１０は、その直径と比較して非常に小さな厚さを有することができる。例えば、抗スプラッシュ装置１０の厚さは、０．０１インチ、０．０２インチ、０．０４インチ、０．１インチ、０．２インチ、又はそのような値の間の厚さとされることができる。他の実施形態において、抗スプラッシュ装置の厚さは、０．０１インチより小さく、又は０．２インチより大きい場合がある。
【００２６】
抗スプラッシュ装置１０の開口部の形状、サイズ、向き、位置、間隔、及び／又は他の特徴は、変えることができる。例えば、図１Ａ及び図１Ｂに図示される抗スプラッシュ装置１０の実施形態のそれぞれは、第１の直径を有している略円形状の開口部２０の列を含む。描かれた実施形態において、開口部２０は、抗スプラッシュ装置の中心に対して特定の半径（ライン２２で示される）に配置された円状の列に沿って略均一に分散される。いくつかの配置構成において、抗スプラッシュ装置１０は、抗スプラッシュ装置１０の中心から約０．８インチに位置付けられる、８個の均一に離隔された３／１６インチの直径の開口部２０を備える。
【００２７】
続けて図１Ｂを参照して、抗スプラッシュ装置１０は、異なる同心円の列に沿って位置付けられた追加の開口部２４を含むことができる。図示された実施形態において、それらの追加の開口部２４は、抗スプラッシュ装置１０の中心からより長い半径（ライン２６によって示される）に沿って、抗スプラッシュ装置１０の円周に近接して位置付けられる。示されるように、追加の開口部２４は、互いに対してより小さい直径及び異なる間隔を有することができる。他の実施形態において、抗スプラッシュ装置１０は、抗スプラッシュ装置１０の中心から約１．２５インチに位置付けられる、１６個の均一に離隔された１／８インチの直径の開口部２４を備える。しかしながら、抗スプラッシュ装置１０の開口部２０、２４の形状、直径、間隔、向き、形状、及び／又は他の特性が本願明細書に図示されたもの及び議論されたものと異なる場合があることは、認識されるであろう。
【００２８】
議論されるように、抗スプラッシュ装置１０は、図１Ａから図１Ｃの実施形態に図示される開口部より多い又は少ない開口部を含むことができる。さらに、開口部の形状、サイズ、間隔、向き、及び一般的な構成は、変えることができる。開口部に関係した詳細な設計は、１つ又は複数の要素、例えば、抗スプラッシュ装置の種類、サイズ、形状、寸法、及び他の性質、抗スプラッシュ装置がその内部に配置されることができるカップ又は他の容器のサイズ、形状、寸法、及び他の性質、抗スプラッシュ装置が接触した状態になる飲料の種類、密度、粘度、温度範囲、及び他の性質、使用中に開口部を通じる所望される流体（例えば、空気、飲料など）の流速、抗スプラッシュ装置が接触するであろうカップの所望される位置、及び／又は同様のものに依存する。抗スプラッシュ装置１０は、１つの形状及び／又は寸法より多い複数の形状及び／又は寸法を有する開口部を含むことができる。さらに、特定の抗スプラッシュ装置１０に配置される開口部のパターンは、本願明細書に図示されるように、規則的なパターン（例えば、特定の円に沿って）の代わりにランダムである場合がある。開口部に関する形状、寸法、間隔、ランダム性、及び他の詳細における多様性は、本願明細書で議論される抗スプラッシュ装置の任意の実施形態に適用可能である。
【００２９】
図２を参照して、抗スプラッシュ装置１０Ａは、矩形状の開口部２０Ａを備えることができる。図示された実施形態において、開口部２０Ａは、抗スプラッシュ装置１０Ａの中心から略半径方向に位置付けられる。示されるように、開口部２０Ａは、抗スプラッシュ装置１０Ａの中心に対して異なる複数の列に沿って位置付けられることができる。他の実施形態に関連して本願明細書で議論され、及び／又は図示されるように、開口部２０Ａの形状、サイズ、間隔、配置、及び／又は他の特性は、変えることができる。
【００３０】
図３Ａ及び図３Ｂは、抗スプラッシュ装置のための開口部２０Ｂの他の実施形態を図示する。示されるように、開口部２０Ｂは、抗スプラッシュ装置の表面でＸ字形状に切断させることによって形成されることができる。そのような切断又は他の切断は、４つフラップ部材２１Ｂを生み出すことができる。開口部２０Ｂの効果的な領域は、フラップ部材２１Ｂがその表面から生成される抗スプラッシュ装置の表面に対して、フラップ部材２１Ｂを持ち上げる、又は降下する、のいずれかによって調整されることができる。さらに、フラップ部材がその材料から生成される材料に依存して、フラップ部材２１Ｂは、固い、又は可撓性であることができる。開口部２０Ｂが、より多い又はより少ないフラップ部材２１Ｂを使用して生成されることができることは、認識されるであろう。さらに、開口部２０Ｂを形成するために使用された切断又は他の切断は、図３Ａ及び図３Ｂに図示された形状、サイズ、又は一般的な構成と異なる形状、サイズ、又は一般的な構成を有することができる。
【００３１】
図４Ａ及び図４Ｂを参照して、開口部２０Ｃは、略円形状のフラップ部材２１Ｃを使用して形成されることができる。フラップ部材２１Ｃは、流体（例えば、液体飲料、空気など）がそれを通じて通過することを可能にするために、抗スプラッシュ装置の表面から離隔した位置を維持するように構成されることができる。議論されるように、フラップ部材２１Ｃの数量、形状、サイズ、及び他の性質は、特定の用途又は使用によって必要とされ、又は必要とされるように変えることができる。上記で議論された様々な開口部又はその多様性は、本願明細書に記載された、又は図示された抗スプラッシュ装置の任意の実施形態に位置付けられることができる。
【００３２】
抗スプラッシュ装置１０は、１つ又は複数の可撓性、剛体及び／又は略剛体の材料から製造されることができる。例えば、抗スプラッシュ装置１０は、ポリエチレン、高分子長ポリエチレン、ポリプロピレン、ポリエチレンテレフタレート、ポリエステル、ポリカーボネート、ナイロン、ポリスチレン（ｐｏｌｙｓｔｙｒｅｎｅ）、エポキシ、アクリル、フォーム材料、ポリマー材料、及び他の熱可塑性材料などを備えることができる。他の実施形態において、抗スプラッシュ装置１０は、例えば、紙（コートされた又は浸透された紙、又は繊維製品を含む）、又はウッドベース製品（例えば、厚紙）、織物、ゴム、金属（例えば、ステンレス鋼）、セラミックス、及び／又は任意の他の材料などの、他の合成材料及び／又は他の天然材料を備える。使用される的確な材料にかかわらず、抗スプラッシュ装置は、有利には、少なくとも単一の使用（例えば、１本８〜１６オンスの飲料）中に、それらの物理的且つ構造的な一体性を維持するように構成されることができる。
【００３３】
熱可塑性の抗スプラッシュ装置は、例えば、射出成形、ブロー成形、圧縮成形、真空形成、熱形成、熱成形又は同様のものなどの、１つ又は複数の成形方法を使用して製造されることができる。代替的には、抗スプラッシュ装置は、所望されるサイズ、形状、厚さ、及び構成に
打ち抜きされ、切断され、鋳造され、圧延され、又は他の方法で製造されることができる。例えば、抗スプラッシュ装置は、厚紙、プラスチック、又は同様のものの大きなシートから所望される形状に切断されることができる。
【００３４】
いくつかの実施形態において、抗スプラッシュ装置は、積極的な液体、有害な材料、高温、又は抗スプラッシュ装置が晒される可能性があるできる限り他の有害な環境に対して抗スプラッシュ装置をさらに保護するために、コーティング、フィルム、又は他のレイヤーを含むことができる。例えば、厚紙又は他の紙ベースの材料から製造された抗スプラッシュ装置は、飲料（例えば、コーヒー、お茶、水など）との接触から生じる、液体浸透、及び／又は高温、酸性による劣化、及び／又は他の潜在的で有害な影響から生じる損傷に対して保護するためのワックスコーティングを含むことができる。
【００３５】
飲料の望ましくない跳ね回り、スプラッシュ、及び／又はこぼれを最小限に抑える、又は防止するために、抗スプラッシュ装置は、飲料の液面と容器の上面との間に位置付けられることができ、容器の上面を通じて、飲料が放出することができる。抗スプラッシュ装置は、１つ又は複数の方法を使用して、容器内に固着され、又は位置付けられることができる。本願明細書でより詳細に議論されるように、いくつかの実施形態において、抗スプラッシュ装置は、カップ又は他の容器の縁部で、又は縁部に隣接してぴったりと位置付けられるように、寸法決めされ、形造られ、及び別の方法で構成される。
【００３６】
その的確な構成又は設計にかかわらず、抗スプラッシュ装置は、抗スプラッシュ装置の下に含有された液体の望まれない運動を防止するのに役立つことができる。抗スプラッシュ装置は、飲料の跳ね回り又はスプラッシュを低減する、又は防止するためにバリアとして作用することができる。そのような望まれない液体の動きの低減又は防止は、こぼれ、危険な火傷、及び同様のものを避けるのに役立つことができる。これは、例えば、歩行している又は運転している使用者の動きに従う、使い捨てのコーヒーカップ、飛行機及び電車及び同様なもので供給されたカップ又は他の容器などの持続的で、強い、及び／又は突然の動きに従うカップ及び他の容器のために、特に重要である。さらに、そのような抗スプラッシュ装置は、容器の外側への熱損失の割合を低減するのに役立つことができる。さらに、抗スプラッシュ装置は、カップ又は他の容器のシームでより良い封止を形成するために構成されることができ、それによって、カップと蓋又は他の密閉装置との間の漏れやすい接続の可能性を低減する。さらに、抗スプラッシュ装置は、特に、抗スプラッシュ装置がカップと接触する位置で、又は位置に隣接して、カップの構造的な一体性を高めるのに役立つことができる。例えば、カップの内壁内にぴったりと嵌め込み、且つカップの内壁と接触するように構成された抗スプラッシュ装置は、内力又は外力が（例えば、カップの外側を把持する、又は扱うことによって）カップに作用される場合に、カップの形状（例えば、略円形）を維持するのに役立つことができる。
【００３７】
抗スプラッシュ装置の開口部は、有利には、容器から分配している間に、又は容器から飲んでいる間に、液体が抗スプラッシュ装置を通じて容易に流れることを可能にする。例えば、使用者が飲料（例えば、コーヒー、お茶など）を消費したい場合に、使用者は、使用者が自然に行うように、カップを単に傾けることができる。抗スプラッシュ装置の下に位置付けられたコーヒー又は他の飲料は、抗スプラッシュ装置の開口部を通じて、使用者に向けて、流れることが可能である。いくつかの実施形態において、抗スプラッシュ装置の開口部を通じての液体の流れの速度及びパターンは、抗スプラッシュ装置を使用していない場合の液体の流れに同一又は略同一であることができる。しかしながら、他の実施形態に置いて、抗スプラッシュ装置は、抗スプラッシュ装置を通じて、液体の流れを遅くするように構成されることができる。これを達成するために、開口部の数、サイズ、形状、及び／又は他の性質は、有利には改善されることができる。
【００３８】
いくつかの実施形態において、抗スプラッシュ装置は、飲料の表面の上部に単に浮かぶように構成されることができる。それ故に、抗スプラッシュ装置の少なくとも１部が飲料の密度より小さい密度を有することは、所望されることができる。例えば、抗スプラッシュ装置は、例えば、ポリエチレン、フォーム、及び／又は同様のものなどの、相対的に低い密度を有する１つ又は複数の材料を備えることができる。代替的には、抗スプラッシュ装置は、抗スプラッシュ装置が液面に浮かぶのに役立つために、エアポケット、空隙、１つ又は複数の特徴、材料、又は構成要素を含むことができる。そのような構成において、抗スプラッシュ装置は、カップの液面の向き及び位置と一致するように移動することができる。それ故に、カップの内壁に対して抗スプラッシュ装置の垂直方向位置は、飲料の容積がカップに追加される、又はカップから除去されるにつれて、変化することができる。さらに、浮遊可能な抗スプラッシュ装置は、カップが傾斜される、又は移動されるにつれて回転するように構成されることができる。
【００３９】
議論されているように、抗スプラッシュ装置が自由に浮かぶ、又は１つ又は複数の部分に固着するかどうかに関係なく、抗スプラッシュ装置の形状は、略平面的及び／又は非平面的とされることができる。例えば、抗スプラッシュ装置は、例えば、凸形状、凹形状、ドーム形状、球形状、円錐形状、段状、波形状、カール状、溝状、チャンネル状、不規則な形状、又は同様のものである場合がある。
【００４０】
抗スプラッシュ装置の外径は、抗スプラッシュ装置がその内部に挿入されることができるカップの内径に等しい、又は内径より小さいとされることができる。それ故に、抗スプラッシュ装置は、カップ又は他の容器の内部内に大まかに嵌め合うことができる。しかしながら、カップの形状及び寸法に依存して、抗スプラッシュ装置は、特定のカップの深さを超えて降下することが可能とされることができない。
【００４１】
例えば、図５に図示されるように、カップ５０がその内径が上部に向けて拡幅するように、抜け勾配（ｄｒａｆｔ  ａｎｇｌｅ）Ｄを含む場合、抗スプラッシュ装置１０は、抗スプラッシュ装置１０の外径がカップ５０の内径と接触しない限り、飲料の表面に浮かぶことができる。そのような実施形態において、カップ又は他の容器内の抗スプラッシュ装置１０の高さは、飲料の高さＢが特定の高さの下に落ちる場合に、略一定に維持されることができる。他の実施形態において、抗スプラッシュ装置１０の直径は、抗スプラッシュ装置１０がその形状が弾性的に変形する変形可能な本体を備える限り、カップの内径より大きい場合がある。
【００４２】
抗スプラッシュ装置の外径又は他の外部寸法がカップの内径より常に小さいとされる実施形態において、抗スプラッシュ装置は、カップの高さ全体に亘って、飲料の表面に浮かぶ、又は飲料の表面に隣接して浮かぶように構成されることができる。抗スプラッシュ装置は、抗スプラッシュ装置の外側とカップの内側との間に１つ又は複数の間隙を維持するように、寸法決めされ、形造られ、及び別の方法で構成されることができる。しかしながら、そのような間隙の寸法は、抗スプラッシュ装置が、飲料の跳ね回り、スプラッシュ、こぼれ、又は他の動きを最小限に抑える、又は防止する範囲に悪影響を与えることができる。さらに、そのような間隙は、カップから排出される流速、及び／又は飲料を熱的に断熱するための抗スプラッシュ装置の性能に影響を与えることができる。
【００４３】
図６を参照して、抗スプラッシュ装置１０は、カップ５０の内壁を係合するように、形造られ、寸法決めされ、且つ構成された外側封止部分３０を含むことができる。図示されるように、外側封止部分３０は、力が外側封止部分３０に作用される場合に、外側封止部分３０が変形することができるように、可撓性を有することができる。いくつかの実施形態において、抗スプラッシュ装置１０の全体的な外周部は、そのような外側封止部分３０を備える。代替的には、抗スプラッシュ装置１０の１つ又は複数の外周領域だけは、封止部分３０を含むことができる。封止部分３０は、抗スプラッシュ装置の正確な形状にかかわらず、含まれることができる。さらに、本願明細書に記載され、且つ／又は図示される抗スプラッシュ装置の実施形態のいずれの実施形態も、１つ又は複数の封止部分を備えることができる。
【００４４】
いくつかの実施形態によれば、封止部分３０は、抗スプラッシュ装置１０の延在部とされることができる。例えば、封止部分３０は、抗スプラッシュ装置１０の１つ又は複数の他の部分と同一の材料又は類似の材料を備えることができる。他の実施形態において、封止部分３０は、追加の可撓性、及び／又は弾性を有する封止部材３０を提供するために、抗スプラッシュ装置１０の１つ又は複数の他の部分より薄い場合があり、及び／又は他の部分と異なる形状を有することができる。代替的には、封止部材３０は、抗スプラッシュ装置１０又は同一の材料の薄い部分又は部品と、１つ又は複数の異なる材料又は特徴と、を備えることができる。例えば、封止部材３０は、例えば、ゴム、ソフトプラスチック、薄いプラスチック、厚紙、又は同様のものなどの、封止部材３０に使用された材料より軟質である、及び／又はより可撓性を有する１つ又は複数の材料を含むことができる。
【００４５】
他の実施形態において、封止部分３０は、抗スプラッシュ装置１０に引き続いて取り付けられる別個のアイテムとされることができる。例えば、封止部分３０は、接着剤、摩擦嵌め接続、滑り嵌め接続（例えば、ディスク形状の抗スプラッシュ装置の周りに環状の封止部材を配置する）、又は任意の他の種類の取付装置又は取付方法を使用して、抗スプラッシュ装置１０に取り付けられることができる。代替的には、抗スプラッシュ装置１０は、接着される、超音波溶接される、圧力接着される、レーザー接着される、又は別の方法でカップ５０の内部に取り付けられることができる。１つ又は複数のそれらの取り付け方法は、本願明細書に開示された実施形態のいずれかの実施形態のために、カップ５０に抗スプラッシュ装置１０を接続するように使用されることができる。さらに、１つ又は複数のそれらの取付方法は、蓋５００（図１４Ａ及び図１４Ｂ）、中間部材５６６（図１５）、及びカップ又は他の容器に関連した任意の他の部分、他の部材、又は他の装置に、抗スプラッシュ装置１０を取り付けるために使用されることができる。他の実施形態において、図２５Ａに図示されるように、抗スプラッシュ装置は、使用者がカップ又は他の容器内に抗スプラッシュ装置をぴったりと位置付けることを可能にするその外縁部に沿って、チャンネル又は他の弾性特徴を含むことができる。そのような構成において、外周チャンネル又は他の特徴は、カップの内壁に対してカップ内に進める場合に、（例えば、その効果的な寸法又は他の外形寸法を変化する）変形するように構成されることができる。
【００４６】
図６で図示されるように、抗スプラッシュ装置１０は、封止部分３０がカップ５０の壁が係合するように、カップ５０の内部キャビティー内に十分遠くに進められることができる。それによって、封止部分３０は、（例えば、カップ５０の内側部分内に）カップ５０に対して抗スプラッシュ装置１０の位置を少なくとも一時的に固着するように使用されることができる。さらに、封止部分３０は、抗スプラッシュ装置１０の下に含有された飲料と抗スプラッシュ装置１０の上のヘッドスペースとの間で、熱交換を最小限に抑えるのに役立つことができる。それ故に、封止部分３０を有する抗スプラッシュ装置１０は、一定の断熱利点を提供することができる。いくつかの実施形態において、抗スプラッシュ装置１０が、カップ５０の上部（例えば、カップの縁に隣接して）で、又は上部に隣接してカップ５０の内部を係合することは、所望されることができる。他の構成において、図２５Ａを参照して図示される、又は議論されるように、抗スプラッシュ装置は、カップ又は他の容器の内部に係合するように構成される１つ又は複数の他の種類の特徴又は部材を含むことができる。さらなる他の実施形態において、非スプラッシュ装置は、カップの内壁又は容器の他の部分に一時的に、又は永続的に係合するために適合されることができる。
【００４７】
いくつかの実施形態において、封止部分３０は、使用者がカップの様々な深さに沿って抗スプラッシュ装置１０を位置付けることを可能にするために、十分大きく、且つ可撓性を有することができる。そのような構成において、封止部分３０は、カップ５０の内径が狭いとされるより広い範囲に変形するように構成されることができる。それ故に、抗スプラッシュ装置１０の垂直方向の位置は、使用者の好みにより調整されることができる。さらに、特定の実施形態に対して本願明細書で図示され、且つ議論されるように、抗スプラッシュ装置１０は、抗スプラッシュ装置１０の位置付け、再位置付け、又は除去を容易にするように、１つ又は複数の把持部材（例えば、タブ、開口部、ハンドルなど）を備えることができる。
【００４８】
図７Ａから図７Ｃの実施形態で図示されるように、抗スプラッシュ装置の外側周囲の形状は、変えることができる。図７Ａにおいて、抗スプラッシュ装置１０Ａは、外側周囲に沿って実質的に延在する複数の矩形状のタブ３０Ａを備える。示されるように、タブ３０Ａは、互いから均一に離隔される、又は略均一に離隔されることができる。しかしながら、他の実施形態において、タブ３０Ａの間隔は、（例えば、不均一、不規則などに）変えることができる。いくつかの実施形態において、タブ３０Ａは、カップの内部に対して抗スプラッシュ装置１０Ａの位置を維持するように、カップの内壁を係合するように構成されることができる。例えば、タブ３０Ａは、カップ内部の一部を摩擦で又は別の方法で係合するために、特定の寸法、形状、剛性、又は、可撓性、及び／又は他の特性を有することができる。代替的には、タブ３０Ａは、カップの内壁に少なくとも部分的に潜伏することによって、カップに対して抗スプラッシュ装置１０Ａの位置を維持するように、適合されることができる。タブ３０Ａ又は他の係合部材は、抗スプラッシュ装置１０Ａの全周囲に沿って配置されることができる。他の実施形態に置いて、タブ３０Ａ又は他の係合部材は、抗スプラッシュ装置の周囲の１つ又は複数の部分のみに沿って、断続的に位置付けされることができる。
【００４９】
図７Ｂを参照して、抗スプラッシュ装置１０Ｂは、その外側周囲に沿って、複数の略円形のタブ３０Ｂを含むことができる。代替的には、図７Ｃの実施形態に図示されるように、抗スプラッシュ装置１０Ｃの外側周囲に沿っているタブ３０Ｃは、鋸歯パターンを形成することができる。抗スプラッシュ装置の外側周囲が、本願明細書に図示される、及び／又は記載される実施形態に図示されるものと異なる形状、寸法、及び／又は一般的な構成を有することができることは、認識されるであろう。さらに、本願明細書に記載された抗スプラッシュ装置のタブ、他の係合部材、及び縁部のパターン、又はその変形体は、抗スプラッシュ装置の任意の実施形態に使用されることができる。
【００５０】
抗スプラッシュ装置の形状及び周囲の他の詳細は、流体が抗スプラッシュ装置とカップの又は他の容器の内部と間で流れることを可能にするように選択されることができる。それ故に、抗スプラッシュ装置の外側部分に沿って位置付けされるタブは、カップ内に抗スプラッシュ装置を固着するための係合部材として、及び／又は、流体が抗スプラッシュ装置の外側周囲を横切って流れるための間隙として、役に立つように形成され、寸法決めされ、且つ別の方法で構成されることができる。
【００５１】
図８Ａ及び図８Ｂは、抗スプラッシュ装置１０Ｄの他の実施形態を図示する。示されるように、抗スプラッシュ装置１０Ｄは、上部分１２及び下部分１４を含むことができる。記述された実施形態において、上部分１２及び下部分１４は、抗スプラッシュ装置１０Ｄの外側周囲３０Ｄに沿って互いに接合される。議論されるように、外側周囲３０Ｄは、カップの壁の内部分を係合するように構成されることができる。他の実施形態において、上部分１２及び下部分１４は、縁部に沿って取り付けられることの代わりに、又は縁部に沿って取り付けられることに追加して、１つ又は複数の領域に沿って（例えば、内部領域に沿って）、互いに取り付けられることができる。いくつかの実施形態において、１つ又は複数の取付部材又は特徴は、互いに上部分１２及び下部分１４に接続するように使用されることができる。
【００５２】
図８Ａ及び図８Ｂを続けて参照すると、上部分１２は、複数の開口部２０Ｄを備えることができる。図示されるように、下部分１４はまた、複数の開口部２２Ｄを含むことができる。開口部２０Ｄ、２２Ｄの形状、サイズ、間隔、重複の程度、及び他の特性は、特定の用途又は使用によって所望される、又は必要とされるように、変えることができる。図８Ａにおいて、上部分１２における開口部２０Ｄは、下部分１４において開口部２２Ｄからオフセットされる。開口部２０Ｄ、２２Ｄがオフセットされるレベルが、示されるレベルと異なることができることは、認識されるであろう。例えば、いくつかの実施形態において、開口部２０Ｄ、２２Ｄは、全てオフセットされていない。一方、他の実施形態において、開口部２０Ｄと開口部２２Ｄとの間でほとんど重複がない、又は重複がない。
【００５３】
図８Ａ及び図８Ｂの抗スプラッシュ装置１０Ｄの実施形態において、２つの層又は部分１２、１４は、互いに隣接して位置付けられる。しかしながら、他の構成において、抗スプラッシュ装置１０Ｄは、より多い又はより少ない層又は部分を含むことができる。いくかの実施形態において、隣接して配置された層又は部分１２、１４は、互いに対して回転するように構成されることができる。それ故に、隣接する部分１２、１４における開口部２０Ｄと開口部２２Ｄとの間の重複又はオフセットの量は、製造者及び／又は使用者によって選択的に調節されることができる。そのような構成において、抗スプラッシュ装置１０Ｄは、使用中に開口部２０Ｄと開口部２２Ｄとの間に所望される重複を維持するための固定部材又は他の特徴を備えることができる。
【００５４】
複数の層または部分を有している抗スプラッシュ装置は、抗スプラッシュ装置１０Ｄを通じて、流体の流れ（例えば、液体飲料、空気、など）を制御することを支援することができる。さらに、そのような実施形態は、抗スプラッシュ装置１０Ｄの上方に配置された周囲空気に、液体又は他の物質の直接的なエクスポージャーを防止する、又は最小限に抑えることによって、断熱の利益を提供することができる。
【００５５】
明白にするために、本願明細書で議論され、及び／又は図示される抗スプラッシュ装置の実施形態の多くは、略平面的な形状を含む。しかしながら、議論されるように、抗スプラッシュ装置が、例えば、凸形状、凹形状、ドーム状、球形状、円錐形状、段状、波形状、カール状、溝状、チャンネル状、不規則な形状、及び／又は同様のものなどの、１つ又は複数の非平面的な形状を含むように修正されることができる。
【００５６】
図９Ａは、抗スプラッシュ装置１１０の他の実施形態を図示する。本願明細書で議論される他の実施形態に類似して、記述された抗スプラッシュ装置１１０は、複数の開口部１２０を備えるメイン本体部１１２を含むことができる。抗スプラッシュ装置１１０は、その周囲の少なくとも１部に沿って１つ又は複数の係合部分１１４をさらに含むことができる。示されるように、係合部分１１４は、略円柱形状を含むことができ、隣接するメイン本体部１１２に対して略垂直とされる場合がある。さらに、メイン本体部１１２は、係合部分１１４の縁部で、又は縁部に隣接して、係合部分１１４に取り付けられることができる。しかしながら、メイン本体部１１２及び／又は係合部分１１４は、異なる形状、サイズ、又は構成を有することができることは、認識されるであろう。例えば、メイン本体部は、異なる形状（例えば、多角形状、楕円形状、非平面状、凸形状、凹形状、ドーム状、球形状、円錐形状、段状、波形状、カール状、溝状、チャンネル状、不規則な形状、同様のものなど）を有することができ、メイン本体部１１２は、係合部分１１４又は同様のものの異なる面又は領域に沿って、係合部分１１４に取り付けることができる。
【００５７】
本願明細書に記載された、及び／又は議論されたいくつか又は全ての抗スプラッシュ装置、又はその変形形態は、熱可塑性材料ベースの製品、紙ベースの製品（例えば、厚紙など）又は同様のものなど、１つ又は複数の可撓性、剛性及び／又は略剛性の材料であることができる。さらに、抗スプラッシュ装置は、使い捨て可能又は再使用可能であることができる。同様に、そのような抗スプラッシュ装置がその中に配置されることができるカップ、マグカップ、又は他の容器は、変えることができる。例えば、抗スプラッシュ装置は、使い捨て可能なカップ（例えば、紙、コートされた厚紙、プラスチックなど）、再使用可能な旅行用マグカップ、又は他の容器、食品容器、及び同様のもの内に配置されることができる。さらに、そのようなカップ又は容器は、小さい、又は大きい場合があり、任意の可撓性、剛性及び／又は略剛性の材料である場合がある。
【００５８】
図９Ｂは、カップ５０内に位置付けられた抗スプラッシュ装置１１０の一の実施形態を図示する。記述された抗スプラッシュ装置１１０は、メイン本体部１１２と、円筒形状又は略円筒形状の係合部分１１４と、を含み、この係合部分１１４は、カップ５０の内面を係合するように適合されることができる。いくつかの実施形態において、円筒形状又は略円筒形状の係合部分１１４は、（例えば、円筒形、抜き勾配又は他の特徴を有する略円筒形など）カップの壁の形状に略一致するように構成される。使用中に、抗スプラッシュ装置１１０は、カップ５０の上部開口部５２を通じて挿入されることができ、及び係合部分１１４がカップの内壁の少なくとも１部に摩擦によって接触するまで、下向きに進められる、又は別の方法で移動されることができる。抗スプラッシュ装置１１０は、飲料がカップ５０内に注がれる前、又は注がれた後のいずれかで、上述したように下向きに進められることができる。いくつかの構成において、図２３Ａ及び図２５Ａの実施形態を参照して議論されるように、係合部分は、カップの壁の形状に略一致するように構成されることができる。一の実施形態において、抗スプラッシュ装置がカップ又は他の容器の内部に下に向けてさらに進めば進むほど、係合部分は、抗スプラッシュ装置が接触している状態で、隣接する壁の形状をより略呈する。
【００５９】
代替的には、飲料の上面が、抗スプラッシュ装置１１０がカップ５０の内面を摩擦によって係合する深さの上にある場合に、抗スプラッシュ装置１１０は、カップ内に挿入されることができる。それ故に、抗スプラッシュ装置１１０は、飲料の高さが十分に低くなるまで、飲料の上面で、又は上面に隣接して、浮かぶ又は実質的に浮かぶことができる。抗スプラッシュ装置１１０が飲料の表面に浮かぶように構成されない実施形態において、抗スプラッシュ装置１１０は、係合部分１１４がカップの内壁に接触するまで、沈むことができる。カップ及び／又は抗スプラッシュ装置１１０が使い捨て可能であるかどうかに依存して、抗スプラッシュ装置１１０は、使用後に、カップ５０から回収されることができる。抗スプラッシュ装置１１０が再使用可能である場合に、抗スプラッシュ装置１１０は、洗浄又は同様のもののためにカップの内部から取り出されることができる。使用者が抗スプラッシュ装置１１０をカップ５０又は容器の内側及び外側に位置付けることを支援するために、抗スプラッシュ装置１１０は、１つ又は複数のタブ、開口部、ハンドル、他の把持部材（図示せず）を備えることができる。
【００６０】
いくつかの実施形態において、抗スプラッシュ装置は、カップ又は他の容器の内部に沿って配置された突出部材に、又は突出部材に隣接して配置するために、適合されることができる。例えば、カップは、１つ又は複数の所望される深さでその内部に延在する１つ又は複数のフランジ、タブ、リップ、リッジ、又は同様のものを備えることができる。それ故に、抗スプラッシュ装置がカップ内に降下されるので、抗スプラッシュ装置は、そのような突出部材に接触することができ、それに維持されることができる。他の構成において、カップは、所望される下部深さと上部深さとの間で抗スプラッシュ装置を維持するように、その内面から延在している上部突出部材及び下部突出部材の両方を含むことができる。
【００６１】
どのように抗スプラッシュ装置がカップと接合するかにかかわらず、カップが傾斜される、又は別の方法で移動される場合に、飲料が抗スプラッシュ装置に亘って上向きに流れる速度は、空気が抗スプラッシュ装置に亘って下向きに流れる速度より遅いとされることができる。議論されるように、いくつかの実施形態において、抗スプラッシュ装置を通じて流れる液体の速度は、抗スプラッシュ装置が使用されていない場合の速度に等しい、又は類似とされることができる。さらに、抗スプラッシュ装置の開口部及び他の特徴は、カップが満たされる場合に、液体が抗スプラッシュ装置に亘って素早く通過することを可能にするように構成されることができる。
【００６２】
図１０は、取り付けられた抗スプラッシュ装置１０を有している使い捨て可能なカップ内に形成されるように構成されたメイン本体部の切抜パターン１８を図示する。そのような切抜パターン１８は、紙、プラスチック、他の合成材料及び／又は天然材料、及び／又は同様のものから製造されることができる。切抜パターン１８は、ダイから切断、パンチ、成形（例えば、射出成形、圧縮成形、熱形成、又は他の成形技術）、又は同様の方法で形成されることができる。記述された切抜パターン１８は、引き続いて圧延されることができ、及び別の方法で形造られ、及び／又はカップ５０を形成するために組立てられることができる。例えば、メインカップ部分５６の自由端は、カップ５０の略円筒形部分を形成するために、互いに、接着剤で接着される、超音波溶接される、又は別の方法で取り付けられることができる。さらに、底部分（図示されない）は、カップの設計を完成するために、メインカップ部分５６の下部領域に取り付けられることができる。代替的には、メインカップ部分５６は、カップの底部を形成するために形造られることができる。
【００６３】
図示されるように、切抜パターン１８の上部分５８は、組立てられたカップ５０の上縁部を画定するために構成されることができる。図１０を引き続き参照して、切抜パターン１８は、カップ５０の主略円筒形部分５６から上部分５８を分離するスコア５９、ステップ、及び／又は他の輪郭を描く特徴をオプションとして含むことができる。上部分５８は、その縁部に沿って、蓋又は他の取付部材を受容するために、寸法決めされる、形造られる、及び別の方法で構成されることができる。
【００６４】
図１０を続けて参照して、抗スプラッシュ装置１０は、切抜パターン１８の上部分５８に取り付けられることができる。図示された実施形態において、抗スプラッシュ装置１０は、単一の延在タブ部材３６を使用して切抜パターン１８に取り付けられる。しかしながら、１つ又は複数の他の方法は、延在タブ部材３６を使用することの代わりに又は使用することを追加して、切抜パターン１８に抗スプラッシュ装置１０を取り付けるように使用されることができる。例えば、抗スプラッシュ装置１０は、カップ５０に、接着剤で接着される、超音波溶接される、又は別の方法で接続されることができる。他の実施形態において、切抜パターンは、カップ５０に抗スプラッシュ装置１０を接続する２つ又は複数のタブ部材３６を備えることができる。代替的には、議論されるように、カップ５０は、抗スプラッシュ装置１０を受容するように構成された突出部及び／又はスロットを含むことができる。
【００６５】
切抜パターン１８から形成されると、カップ５０は、互い内に配置されることができ、保存及び／又は輸送のためにパッケージされることができる。抗スプラッシュ装置１０は、パッケージ中に、形成されたカップ５０の外側に残留することができる。そのような構成において、抗スプラッシュ装置１０は、保存及び／又は輸送中に保護されることができる。それ故に、使用者は、飲料がカップ内部に注がれた後で、抗スプラッシュ装置１０をカップ内部に移動することができる。抗スプラッシュ装置は、カップ５０の上部分５８又は他の位置に取り付けられて残留することができる一方、カップ５０は使用されていることができる。一の実施形態において、カップ５０におけるスコア５９又はステップは、抗スプラッシュ装置１０がカップ５０内に降下される場合に、抗スプラッシュ装置１０の下表面を係合するために、レッジ又は類似の静止表面として使用されることができる。
【００６６】
抗スプラッシュ装置１０がカップ内部内に適切且つしっかりと位置付けられることを確実にするために、抗スプラッシュ装置１０は、本願明細書に記載されるように、その周囲に沿って１つ又は複数の係合部材を備えることができる。例えば、抗スプラッシュ装置１０は、カップ内部の一部を係合する、その周囲に沿って１つ又は複数の突出部３４又は開口部を含むことができる。そのような突出部３４は、抗スプラッシュ装置１０の扱い（例えば、持ち上げる、降下する、再位置決めするなど）を容易にすることができる。
【００６７】
図１１Ａ及び図１１Ｂを参照して、抗スプラッシュ装置２１０は、上部フランジ又はリップ２１６を備えることができ、該上部フランジ又はリップ２１６は、カップ５０の縁部５４又は他の上部分を把持するために構成されることができる。図示された抗スプラッシュ装置２１０は、図９Ａ及び図９Ｂの実施形態に類似である。しかしながら、記述された抗スプラッシュ装置２１０は、係合部材２１４から円周状に延在しているリップ２１６を追加して備える。本願明細書に記述される、且つ図示される他の実施形態のように、抗スプラッシュ装置２１０は、略水平方向のメイン本体部２１４に沿って、分散された複数の開口部２２０を含むことができる。さらに、抗スプラッシュ装置２１０は、例えば、凸形状、凹形状、ドーム状、球形状、円錐形状、段状、波形状、カール状、溝状、チャンネル状、不規則な形状、及び／又は同様のものなどの、任意の略平面的な形状及び／又は非平面的な形状を有することができる。図１１Ａに図示されるように、カップの縁部に適切に固着される場合に、抗スプラッシュ装置２１０は、カップ５０の上部開口部全体を囲むことができる。抗スプラッシュ装置２１０のリップ２１６は、カップ５０に抗スプラッシュ装置２１０を締め付ける、挟んで締め付ける、又は別の方法でしっかりと保持するために適合されることができる。
【００６８】
他の実施形態において、図１１に図示されるように、抗スプラッシュ装置３１０は、カップ５０の上部分を（例えば、特定の位置のみに）断続的に係合するために構成される。示されるように、抗スプラッシュ装置３１０は、４つの異なる領域においてカップ５０の縁部を把持することができる。抗スプラッシュ装置３１０が図１１Ｃの実施形態に示されたリップ部材より多い又はより少ないリップ部材３１６を含むことができる。さらに、リップ部材３１６の形状、サイズ、寸法、位置、間隔、カップ５０に対する固定方法、及び／又は他の詳細は、変えることができる。
【００６９】
本願明細書で議論され、及び／又は図示された他の実施形態と同様に、図１１Ａから図１１Ｃに記述された抗スプラッシュ装置は、カップにさらに固着されることができ、抗スプラッシュ装置は、蓋とともにカップを覆うことによって、カップに位置付けられる。例えば、図１３Ａから図１３Ｃに図示された蓋５００は、カップの縁部に配置されることができる。好ましくは、そのような蓋５００は、抗スプラッシュ装置２１０、３１０が使用される場合でさえ、カップの上部分を固着するように構成されることができる。そのような蓋５００は、カップの内部への便利なアクセスのために、飲み口５０２と、１つ又は複数の通気孔５０３と、を備えることができる。
【００７０】
図１３Ｂ及び図１３Ｃを続けて参照して、蓋５００は、弾性を有する外周縁部５０４を含むことができ、該外周縁部５０４は、内部ループ領域５０６内にカップの縁部を受容するように適合される。一の実施形態において、蓋５００は、カップの縁部は、蓋５００の内部ループ領域５０６内にスナップ嵌める、又は位置付けられるまで、カップの上部開口部に対して下向きに押圧されることができる。蓋５００の弾性を有する外周縁部５０４は、カップの縁部が内部ループ領域５０６内に保持することを確実にするのに役立つことができる。蓋の弾性を有する外周縁部５０４のスナップ嵌めの特徴は、縁部及びリップ２１６（図１１Ａ及び図１１Ｂ）又は抗スプラッシュ装置２１０、３１０のリップ部材３１６（図１１Ｃ）の両方を係合するように構成されることができる。
【００７１】
図１２Ａから図１２Ｃは、抗スプラッシュ装置４１０の一の実施形態を図示し、抗スプラッシュ装置４１０は、カップの蓋の一部内に取り付ける、又は嵌め合うように適合されることができる。示されるように、抗スプラッシュ装置４１０は、円柱状の係合部分４１４と、複数の開口部４２０を備えるメイン本体部４１２と、を含むことができる。いくつかの実施形態において、係合部分４１４及びメイン本体部４１２は、単一部材から成形される、切断される、及び／又は、別の方法で形成される。代替的には、係合部分４１４及びメイン本体部４１２は、１つ又は複数の取付方法を使用して、その後に接合させる別個のアイテムとされる場合がある。抗スプラッシュ装置４１０は、図１２Ａから図１２Ｃに記述される抗スプラッシュ装置と異なって形造られる、サイズ決めされる、寸法決めされる、及び／又は構成されることができる。例えば、抗スプラッシュ装置４１０は、多角形状、楕円形状、又は他の形状を有することができる。さらに、メイン本体部４１２は、本願明細書に記述されるように、任意の平面的な形状及び／又は非平面的な形状を有することができる。他の実施形態において、係合部分４１４は、より高い、又はより短いことができ、抗スプラッシュ装置４１０の周囲の周りで連続的でない場合がある。
【００７２】
図１２Ａ及び図１２Ｂに図示されるように、抗スプラッシュ装置４１０のメイン本体部４１２は、開口部４２０の内側列及び開口部４２４の外側列を含むことができる。一の実施形態において、メイン本体部４１２の外径は、約３インチであり、係合部分４１４の高さは、約０．４インチである。さらに、メイン本体部４１２は、内側列に沿って、均一に離隔された８個の３／１６インチの直径を有する開口部４２０を備えることができる。さらに、メイン本体部４１２は、抗スプラッシュ装置４１０の周囲に近接して位置付けられた、外側列に沿って、均一に離隔された１６個の１／８インチの直径を有する開口部４２４を含むことができる。いくつかの実施形態において、３／１６インチの直径を有する開口部４２０及び１／８インチの直径を有する開口部４２４はそれぞれ、抗スプラッシュ装置４１０の中心から約０．８インチ及び約１．２５インチで位置付けられることができる。
【００７３】
抗スプラッシュ装置４１０の形状、サイズ、寸法（例えば、直径、厚さ、高さなど）及び／又は他の特性が変えることができることは、認識されるであろう。同様に、開口部４２０、４２４の形状、数量、サイズ、位置、間隔、及び他の性質はまた、本願明細書に図示される、又は議論される開口部の形状、サイズ、位置、離隔、及び他の性質と異なる場合がある。
【００７４】
図１４Ａ及び図１４Ｂは、カップの蓋５００の下部分内に位置付けられた図１２Ａから図１２Ｃに記述された抗スプラッシュ装置に類似の抗スプラッシュ装置４１０を図示する。議論されるように、蓋５００は、飲み口５０２及び１つ又は複数の通気孔５０３を含むことができる。さらに、蓋５００は、弾性を有する外周縁部５０４を含むことができ、該外周縁部５０４は、内部ループ領域５０６内にカップの縁部を受容するように適合される。図示されるように、蓋５００の下部開口部は、抗スプラッシュ装置４１０を受容するように構成されることができる。いくつかの実施形態において、抗スプラッシュ装置４１０は、蓋５００の円筒部分５０５内にぴったりと嵌め合うように寸法決めされる、形造られる、又は別の方法で適合される。
【００７５】
図１４Ａ及び図１４Ｂを続けて参照して、抗スプラッシュ装置４１０及び蓋５００は、円筒部分５０５内に抗スプラッシュ装置４１０を摩擦によって圧入することによって、接合されることができる。抗スプラッシュ装置４１０が蓋５００内に適切に進められるために、蓋は、抗スプラッシュ装置４１０の係合部分４１４が停止する、又は係合するために構成される部分に対して、タブ又は他の突出部材を含むことができる。突出部材を追加して、又は突出部材の代わりに、蓋は、抗スプラッシュ装置４１０が蓋５００内に適切に位置付けられる積極的な係合部材又はいくつかの他の表示（例えば、クリックする、又は他の音を出すように構成される部材）を備えることができる。他の実施形態において、抗スプラッシュ装置４１０及び蓋５００は、例えば、接着剤、クリップ、ねじ接続、ファスナ、又は同様のものを使用して、１つ又は複数の他の方法を使用して接合されることができる。
【００７６】
それ故に、そのような抗スプラッシュ装置４１０は、製造者、使用者、サプライヤー、又はいくつかの他のパーティによって、蓋５００から分離して製造されることができ、蓋５００に連続して接続されることができる。好ましくは、抗スプラッシュ装置４１０は、異なる種類の商業的に利用可能な蓋に嵌め合うように、多様な形状及び寸法で製造されることができる。代替的には、図１４Ａ及び図１４Ｂで描写された蓋及び抗スプラッシュ装置の組み合わせは、単一のユニットとして製造されることができる。蓋５００及び／又は抗スプラッシュ装置４１０が使い捨て可能である、又は再使用可能であるかどうかに依存して、抗スプラッシュ装置４１０は、使用後に蓋５００から取り除かれるように構成されることができる。本願明細書で議論される、及び図示されるような抗スプラッシュ装置の他の実施形態が、蓋に取り外し可能に又は永続的に、取り付けられる、又は接合されるように構成されることができる。  
【００７７】
本願明細書で議論される抗スプラッシュ装置のサイズ、形状、構成、及び／又は他の特性は、そのような抗スプラッシュ装置の扱いと関連して、パッケージ、運搬、保存、及び／他の活動を容易にするように選択されることができる。さらに、抗スプラッシュ装置は、使用者が容易に且つ衛生的に内容物を分配することを可能にするように、パッケージされることができる。実際には、使用者は、例えば蓋に押圧されながら、蓋を保持することなど、物理的に抗スプラッシュ装置を扱うことなく、図１２Ａから図１２Ｂの抗スプラッシュ装置４１０、又は本願明細書で議論される、又は図示される任意の他の抗スプラッシュ装置を取り付けることを可能にされることができる。
【００７８】
図１５は、内部抗スプラッシュ装置５７０を備えている中間部材５６０の一の実施形態を図示する。図示されるように、中間部材５６０は、カップ５０の上部分５８に嵌め合うように構成されることができる。例えば、中間部材５６０は、下部分５６２を含むことができ、該下部分５６２は、カップ５０の縁部又は他の上部分５８をスナップ係合する、又はしっかりと係合するように適合される。
【００７９】
図１５を引き続いて参照して、中間部材５６０の側壁の一部は、中間部材内に位置付けられる内部抗スプラッシュ装置５７０を図示するために隠される。本願明細書で議論される他の実施形態と同様に、内部抗スプラッシュ装置５７０は、複数の開口部５８０を含むことができる。開口部５８０は、流体（例えば、飲料、他の液体、空気、他の気体など）が内部抗スプラッシュ装置５７０に亘って通過することを可能にするように構成されることができる。さらに、開口部５８０は、カップ５０内に含有される飲料又は他のアイテムを断熱するのに役立つことができる。さらに、内部抗スプラッシュ装置５７０は、中間部材５６０を有する単体として形成されることができる。代替的には、内部抗スプラッシュ装置５７０は、別個の部材とされることができ、引き続いて、中間部材５６０に接着され、超音波接着され、圧力で嵌め合され、及び／又は他の方法で取り付けられる。
【００８０】
図１５に図示されるように、中間部材５６０の上部分５６６は、蓋５００又は他の閉鎖部材を受容するように、寸法決めされ、形造られ、且つ別の方法で適合されることができる。中間部材５６０とカップ５０との間の接続のように、蓋５００は、中間部材５６０の上部分５６６をスナップ嵌めする、又は別の方法でしっかりと係合するように構成されることができる。それ故に、中間部材５６０は、カップの内部内にそのような装置を位置付ける必要なしに、内部抗スプラッシュ装置の利点を提供することができる。
【００８１】
中間部材５６０は、抗スプラッシュ装置の異なる実施形態に対して本願明細書で議論されるように、紙、プラスチック、フォーム、又は他の材料から製造されることができる。さらに、中間部材５６０は、使い捨て可能に、又は再使用可能に構成されることができる。中間部材５６０とカップ５０及び蓋５００の隣接部分との間の接合を高めるために、中間部材５６０は、カップの開口部、縁部のサイズ、及び同様のもののために、特定の業界基準によって形造られ、且つ寸法決めされることができる。さらに、中間部材５６０が図１５に図示された実施形態と異なる寸法、形状、一般的な構成を有することができることは、認識されるであろう。例えば、中間部材５６０は、図示される実施形態より大きい、又は小さいとされることができる。さらに、内部抗スプラッシュ装置５７０は、より高い位置又はより低い位置で、中間部材５６０に接続されることができる。
【００８２】
図１６Ａ及び図１６Ｂを参照して、抗スプラッシュ装置６１０は、旅行用マグカップ７０又は他の再利用可能な容器内に位置付けられこともできる。示されるように、抗スプラッシュ装置６１０は、マグカップ７０の内壁と略一致するように構成された略円形状を有することができる。本願明細書で議論される、及び／又は図示される抗スピル装置（ａｎｔｉ−ｓｐｉｌｌ  ｄｅｖｉｃｅ）の実施形態のいくつかは、旅行用マグカップ７０又は他の種類の容器に適用されることができる。例えば、抗スピル装置６１０は、飲料の表面に浮かぶように適合されることができる。代替的には、抗スピル装置は、マグカップ７０の内壁の一部に沿って固定される場合がある。他の実施形態において、抗スプラッシュ装置６１０は、永久的又は一時的のいずれかで、マグカップ７０の蓋７４に取り付けられることができる。さらなる他の実施形態において、抗スプラッシュ装置６１０は、マグカップ７０の内壁をよりしっかりと係合するために、その周囲に沿って封止部分を含むことができる。いくつかの実施形態において、抗スピル装置は、容器の内壁を係合するように構成される弾性縁部チャンネル又は他の特徴（図２３Ａ及び図２５Ａ）を含む。そのような構成において、抗スプラッシュ装置の縁部の少なくとも１部は、旅行用マグカップ又は他の容器の内壁部と略同一の形状と実質的に一致する、及び／又は同一の形状を呈するように適合されることができる。
【００８３】
抗スプラッシュ装置６１０が、例えば、例えば、凸形状、凹形状、ドーム状、球形状、円錐形状、段状、波形状、カール状、溝状、チャンネル状、不規則な形状、及び／又は同様のものなど、任意の平面的な形状及び／又は非平面的な形状を有することができることは、認識されるであろう。
【００８４】
抗スプラッシュ装置は、カップ又はマグカップの内部に配置される１つ又は複数のレール、又は他の案内部に位置付けられることができる。それらの案内部は、使用者が、抗スピル装置が配置される高さ又は高さの範囲を選択することを可能にすることができる。代替的には、そのようなレール又は案内部は、カップ又は容器が飲料を含有するかどうかにかかわらず、抗スピル装置の水平位置が変化しないことを確実にするのに役立つことができる。
【００８５】
他の実施形態において、抗スプラッシュ装置は、使用者が、抗スプラッシュ装置に配置された開口部の数及び／又はサイズを容易に変えることを可能にするように構成されることができる。例えば、抗スプラッシュ装置は、互いに対して回転することが可能である、２つの補完的な部材（例えば、平面状又は非平面状のディスク又は他の部材）を備えることができる。使用者が互いに対して部材を回転すると、開口部の数及び／又は開口部のサイズは、有利には、使用者の好みに従って、変化されることができる。
【００８６】
いくつかの実施形態において、カップは、１つ又は複数の抗スプラッシュ装置と一緒に製造されることができる。これは、本願明細書で議論される、及び／又は図示される抗スプラッシュ装置の任意の設計に適用する。例えば、抗スプラッシュ装置は、成形され、切断され、又はカップ又は他の容器とともに形成されることができる。
【００８７】
本願明細書で議論され、及び図示されるように、抗スプラッシュ装置は、略平面状及び／又は非平面状の形状又は構成を有することができる。そのような形状及び構成の制限されていないいくつかの例は、図１７Ａから１７Ｄで図示される。例えば、図１７Ａにおいて、抗スプラッシュ装置７１０Ａは、略湾曲した形状、又はドーム状の形状を含む。同様に、図１７Ｂに描写された実施形態において、抗スプラッシュ装置７１０は、その表面に沿って、より鋭い湾曲を含む。さらに、図１７Ａ及び図１７Ｂにおいて、図示された抗スプラッシュ装置７１０Ａ、７１０Ｂは、それらの中間部分が抗スプラッシュ装置の各縁部の上に実質的に位置付けられるように構成される。示されるように、それらの実施形態のそれぞれにおける中間部分は、抗スプラッシュ装置７１０Ａ、７１０Ｂの縁部を通じて描かれた水平線Ｈ上に延在する。
【００８８】
図１７Ｃは、湾曲した形状を有している抗スプラッシュ装置７１０Ｃの代替的な実施形態を図示する。示されるように、抗スプラッシュ装置７１０Ｃの中間部分は、縁部を接合する水平線Ｈの実質的に下に延在される。それ故に、図１７Ｃの抗スプラッシュ装置７１０Ｃは、その本体の中央部分に向けて凹所領域を形成する。抗スプラッシュ装置の形状、湾曲、及び／又は他の詳細が、本願明細書に図示される、且つ記載される実施形態と異なっている場合があることは、認識されるであろう。例えば、図１７Ｄを参照して、抗スプラッシュ装置７１０Ｄは、さざ波形状又は段付き形状を含むことができる。
【００８９】
それらの正確な形状、サイズ、寸法、及び他の特性にかかわらず、抗スプラッシュ装置は、好ましくは、飲料、空気、及び／他の流体が通過することができる１つ又は複数の開口部７２０Ａ〜７２０Ｄ、７２４Ａ〜７２４Ｄを含む。本願明細書に記載されるように、開口部のサイズ、形状、間隔、配置、及び他の詳細は、特定の用途又は使用によって所望される、又は必要とされるように変えることができる。
【００９０】
図１８Ａは、抗スプラッシュ装置７１０Ｅを通じて、開口部７２０Ｅの一の実施形態を図示する。記述された開口部７２０Ｅは、開口部が抗スプラッシュ装置７１０Ｅの本体に沿って異なる水平位置で始まり、且つ終端するように、形造られ、且つ構成される。示されるように、開口部７２０Ｅは、開口部７２０Ｅの上部位置７１２Ｅと下部位置７１３Ｅとの間で水平方向の重複部が存在するように適合されることができる。それ故に、開口部７２０Ｅは、抗スプラッシュ装置７１０Ｅの内部を貫通するチャンネル部７１１Ｅを備えることができる。そのようなチャンネル部７１１Ｅは、抗スプラッシュ装置７１０Ｅの下に位置された内容物（例えば、コーヒー、お茶、他の熱い飲料など）の断熱を容易にすることができる。内部のチャンネル部分７１１Ｅは、有利には、熱が開口部７２０Ｅを通じて逃れることを困難にさせることができる。さらに、そのような開口部７２０Ｅは、抗スプラッシュ装置７１０Ｅの抗スプラッシュの特徴をさらに高めるのに役立つことができる。
【００９１】
そのような開口部の代替的な実施形態は、図１８Ｂ及び図１８Ｃに図示される。図１８Ｂにおいて、抗スプラッシュ装置７１０Ｆの内部内に位置付けられたチャンネル部７１１Ｅは、図１８Ａで図示されたチャンネル部より実質的に長い。これは、開口部７２０Ｆの上部位置７１２Ｆ及び下部位置７１３Ｆをさらに引き離し、抗スプラッシュ装置７１０Ｆの断熱性質及び／又は抗スプラッシュ性質をさらに高めることができる。図１８Ｃは、開口部７２０Ｇを図示し、該開口部７２０Ｇは、抗スプラッシュ装置の深さを通じて、渦巻き状、又は螺旋状の形状を含む。それ故に、抗スプラッシュ装置を通過している飲料、空気、又は他の流体は、図１８Ｃで示されるように、略蛇行性の経路に追従する。
【００９２】
例えば、図１８Ａ−１８Ｃを参照して議論された実施形態などの、本願明細書に図示され、記載された開口部の様々な実施形態がいずれの種類の抗スプラッシュ装置で使用されることができることは、認識されるであろう。
【００９３】
図１９Ａ及び図１９Ｂを参照して、抗スプラッシュ装置８１０は、その表面の１つ又は複数に沿って１つ又は複数のリブ８３０、溝、及び／又は表面他の部材を備えることができる。図示された実施形態において、リブ８３０は、抗スプラッシュ装置８１０の底面８１６に沿って位置付けられる。示されるように、リブ８３０は、リブが抗スプラッシュ装置８１０の外周に向けて略延在するように、略半径方向パターンで向けられる。図１９Ｂで図示されるように、いくつかの実施形態において、リブ８３０は、抗スプラッシュ装置８１０の中心に近接して互いに接合されることができる。しかしながら、代替的な実施形態において、リブ８３０は、非半径方向の構成を含むことができ、且つ互いに接続されることができない。例えば、他の構成において、リブ８３０、溝、又は他の部材は、抗スプラッシュ装置８１０の１つ又は両方の表面に沿って、異なる向きを有することができる。例えば、リブ８３０又は溝の一般的な形状は、円形状、同心円状、不規則な形状、ランダムな形状、及び／又は同様のものとされることができる。リブ８３０又は他の支持部材は、抗スプラッシュ装置８１０を安定化するのに役立つことができる。例えば、リブ８３０又は類似の部材は、抗スプラッシュ装置８１０がはじめに位置付けられる場合、及び／又は使用中に、抗スプラッシュ装置８１０が、カップの内部内で転覆する、又は位置ずれした状態になることを防止するのに役立つことができる。
【００９４】
図１９Ｂを続けて参照して、リブ８３０の高さ、幅、及び／又は寸法は、リブの長さに沿って変えることができる。図１９Ｂにおいて、リブ８３００の高さは、半径方向の外面又は抗スプラッシュ装置８１０に向けて増加する。さらに、記述されたリブ８３０は、略平坦な底面と、矩形状の断面と、を含む。しかしながら、リブ８３０が、本願明細書で図示される、且つ議論されるリブと異なるサイズ、寸法、形状（例えば、湾曲した）、間隔、及び／又は他の構成を有することができることは、認識されるであろう。
【００９５】
リブ８３０又は他の支持部材は、抗スプラッシュ装置８１０とともに単一の構造から形成されることができる。例えば、抗スプラッシュ装置８１０は、１つ又は複数のリブ８３０とともに成形される、鋳造される、切断される、又は他の方法で形成される（例えば、熱成形される）ことができる。代替的には、リブ８３０及び抗スプラッシュ装置８１０は、（例えば、接着剤、超音波溶接など）１つ又は複数の取付方法又は取付装置を使用して接合される別個の部材からなることができる。他の実施形態において、リブ８３０は、抗スプラッシュ装置の製造中又は製造後のいずれかで、抗スプラッシュ装置８１０の少なくとも１部を押圧することによって、変形することによって、又は、別の方法で形造ることによって形成される。いくつかの実施形態において、抗スプラッシュ装置は、その底面８１６に沿ってリブ８２０及び支持部材を有していることの代わりに、又はその底面８１６に沿ってリブ８２０及び支持部材を有していることを追加して、その上面８１４に沿ってリブ８３０又は他の支持部材を含む。例えば、いくつかの構成において、いくつかのリブ又は支持部材は、抗スプラッシュ装置の両側部の表面に影響するように構成される。リブ８３０、溝、及び／又は他の部材が、本願明細書で議論される、且つ図示される任意の略平面状の、及び／又は非平面状の抗スプラッシュ装置、又はその変形実施形態に位置されることができることは、認識されるであろう。
【００９６】
図１９Ａ及び図１９Ｂに図示されるように、抗スプラッシュ装置８１０は、複数の開口部８２０、８２４を含むことができる。いくつかの実施形態において、開口部８２０、８２４は、有利には、抗スプラッシュ装置の両面に沿って位置されるリブ８３０又は他の支持部材と干渉しないように、位置付けられる。しかしながら、１つ又は複数の開口部８２０、８２４が、リブ８３０又は他の支持部材を通じて位置付けられることができることは、認識されるであろう。
【００９７】
図２０Ａは、その周囲に沿って、複数の増大された部分（ｅｎｌａｒｇｅｄ  ｐｏｒｔｉｏｎｓ）９３０を備える抗スプラッシュ装置９１０の他の実施形態を図示する。図２０Ｂの断面図で記述されるように、増大された部分９３０は、上部開口部９２４及び底部開口部９３６と流体連通される内部キャビティー部分９３２を含むように構成されることができる。結果的に、内部キャビティー部分９３２は、抗スプラッシュ装置９１０の上又は下から、液体、空気、及び／又は他の流体を受容することができ、抗スプラッシュ装置９１０の反対側に液体、空気、及び／又は他の流体を排出することができる。さらに、増大された部分９３０は、抗スプラッシュ装置９１０がカップ又は他の飲料容器内に、転覆しない、又は別の方法で抗スプラッシュ装置自体を所望されない再位置決めしないことを確実するのに役立ち、抗スプラッシュ装置９１０に安定性を提供するために構成されることができる。そのような増大された部分９３０は、本願明細書で議論される、及び／又は図示される抗スプラッシュ装置の実施形態のいずれかに含まれることができる。
【００９８】
図２０Ａ及び図２０Ｂを続けて参照して、増大された部分９３０は、抗スプラッシュ装置９１０と単一の構造として製造されることができる。しかしながら、代替的な実施形態において、増大された部分９３０及び抗スプラッシュ装置９１０は、（例えば、接着剤、超音波溶接など）１つ又は複数の取付装置又は取付方法を使用して、互いに接合される別個のアイテムとされることができる。さらに、増大された部分９３０の数、サイズ、寸法、間隔、形状、及び／又は他の特性が、本願明細書に図示される、且つ議論される増大された部分とは異なることができることは、認識されるであろう。例えば、増大された部分９３０は、抗スプラッシュ装置９１０の表面のより大きい部分に沿って延在することができる。さらに、増大された部分９３０は、抗スプラッシュ装置の上面の形状に影響することができる。他の実施形態において、増大された部分９３０の内部キャビティー部分９３２は、２つ又は複数の上部開口部９２０、９２４及び／又は底部開口部９３６と流体連通することができる。
【００９９】
図２１Ａは、カップ５０の蓋５００又は他の閉鎖部材に取り付けられる抗スプラッシュ装置１０１０Ａの一の実施形態を図示する。図示されるように、抗スプラッシュ装置１０１０Ａは、抗スプラッシュ装置１０１０Ａの上面から延在する接続部材１０１６Ａを含む。図示された実施形態において、接続部材１０１６Ａは、略円形状を含み、抗スプラッシュ装置１０１０Ａの略中心で位置付けられる。しかしながら、他の実施形態において、接続部材１０１６Ａは、中央以外の位置で抗スプラッシュ装置１０１０Ａに取り付けられることができる。さらなる他の実施形態において、抗スプラッシュ装置１０１０Ａは、蓋５００に対する取付のために、２つ又は複数の異なる接続部材１０１６Ａを含む。
【０１００】
図２１Ａを続けて参照して、接続部材１０１６Ａは、抗スプラッシュ装置１０１０Ａと単一の部材として製造されることができる。例えば、抗スプラッシュ装置１０１０Ａは、１つ又は複数の接続部材１０１６Ａとともに一緒に、成形され、鋳造され、又は（例えば、熱成形など）他の方法で形成されることができる。代替的には、抗スプラッシュ装置１０１０Ａ及び接続部材１０１６Ａは、例えば、接着剤、超音波溶接、ファスナ、摩擦嵌め合い、及び／又は同様のものなどの１つ又は複数の取付方法又は取付方法を使用して接合される別個のアイテムとされることができる。
【０１０１】
図２１Ａに図示されるように、蓋５００は、１つ又は複数の受容部材５１０を備えることができ、該１つ又は複数の受容部材５１０は、抗スプラッシュ装置１０１０Ａの１つ又は複数の対応する接続部材１０１６Ａを受容するように寸法決めされ、位置付けられ、及び／又は別の方法で構成される。蓋５００は、１つ又は複数の受容部材５１０とともに形成されることができる。代替的には、蓋５００及び受容部材５１０は、蓋５００が使用される前に、互いに接合されることができる別個のアイテムとされることができる。いくつかの実施形態において、受容部材５１０は、雄雌結合の雌型の半体を備える。例えば、受容部材５１０は、中空の内部キャビティー部分を含むことができ、接続部材１０１６Ａは、中空の内部キャビティー部分にしっかりと挿入されることができる。いくつかの実施形態によれば、接続部材１０１６Ａは、蓋５００の受容部材５１０内に単に圧入される、又は摩擦嵌め合う。
【０１０２】
図２１Ａに記載されるように、いくつかの実施形態において、接続部材１０１６Ａは、蓋５００の受容部材５１０内に接続部材１０１６Ａの挿入を容易にするように、傾斜された側壁１０１８Ａを含むことができる。
【０１０３】
他の種類の接続が、抗スプラッシュ装置１０１０Ａに蓋５００を接合するために使用されることができることは、認識されるであろう。例えば、接続部材１０１６Ａは、蓋５００の雄型の半体に取り付ける嵌め合いの雌型の半体を備えることができる。他の実施形態において、他の種類の接続は、例えば、ファスナ、スナップ嵌め、接着剤、超音波溶接、及び／又は同様のものなど、蓋５００及び抗スプラッシュ装置１０１０Ａに接合するように使用されることができる。実際には、いくつかの実施形態において、蓋５００及び抗スプラッシュ装置１０１０Ａは、単一のアイテムとして製造されることができる。結果的には、抗スプラッシュ装置１０１０Ａ及び蓋５００は、特定の用途によって所望される、又は必要とされるように、互いに取り外し可能に、又は永続的に取り付けられることができる。
【０１０４】
抗スプラッシュ装置１０１０Ａ及び接続部材１０１６Ａが別個のアイテムとされる実施形態において、１つ又は複数の追加の固着装置又は固着方法は、抗スプラッシュ装置１０１０Ａ及び接続部材１０１６Ａが互いから故意に取り外せないことを確実にするために、使用されることができる。例えば、１つ又は複数の接着剤、ピン、ファスナ、超音波溶接、タブ、及び／又は他の取付装置又は取付方法は、使用されることができる。
【０１０５】
抗スプラッシュ装置１０１０Ａが蓋５００に取り付けられると、蓋５００は、カップ５０の縁部上に配置されることができる。他の実施形態に対して本願明細書に記載されるように、抗スプラッシュ装置１０１０Ａは、好ましくは、複数の開口部１０２０及び１０２４を含むことができ、該複数の開口部１０２０及び１０２４を通じて、１つ又は複数の流体は通過することができる。抗スプラッシュ装置１０１０Ａは、有利には、カップ５０内に含有された液体が、所望されずに、使用者に向けてスプラッシュする、又は別の方法で向けられる可能性を低減することができる。抗スプラッシュ装置１０１０Ａの形状、サイズ、厚さ、他の寸法、蓋５００及び／又はカップ５０の縁部に対する位置、構造の材料、及び他の性質が、変えることができることは、認識されるであろう。例えば、抗スプラッシュ装置１０１０Ａは、平面的な形状、非平面的な形状、ドーム形状（例えば、凹形、凸形など）、円錐形状、段状、溝状、又は任意の他の形状を有することができる。
【０１０６】
抗スプラッシュ装置１０１０Ａ、１つ又は複数の接続部材１０１６Ａ、及び蓋５００は、同一の材料又は異なる材料から製造されることができる。例えば、一の実施形態において、抗スプラッシュ装置１０１０Ａ、１つ又は複数の接続部材１０１６Ａ、及び蓋５００は、高分子材料、熱可塑性材料（例えば、ポリスチレン）、紙ベースの材料、及び／又は同様のものから製造される。
【０１０７】
本願明細書に議論される、且つ図示される他の全ての実施形態のように、蓋５００及び／カップ５０の縁部に対する抗スプラッシュ装置１０１０Ａの位置は、変えることができる。例えば、いくつかの実施形態において、抗スプラッシュ装置１０１０Ａがカップ５０の縁部に隣接して位置されることは、所望可能である。これは、カップ５０の内部の含有物（例えば、飲料、他の食材など）が縁部に比較的に近接する場合でさえ、抗スプラッシュ装置１０１０Ａの使用を容易にすることができる。例えば、カップ５０がホイップクリーム、フォーム、又は同様のものを含有する場合、蓋５００に近接して抗スプラッシュ装置１０１０Ａを位置づけることは、所望可能である。いくつかの実施形態において、抗スプラッシュ装置１０１０Ａの垂直方向の位置は、カップ５０の縁部と位置合わせられることができる。しかしながら、他の実施形態において、抗スプラッシュ装置１０１０Ａは、特定の用途又は使用によって所望される、又は必要とされるように、カップの縁部の上又は下に位置付けられることができる。例えば、抗スプラッシュ装置１０１０Ａは、蓋５００の凹所領域内に配置されることができる。他の構成において、抗スプラッシュ装置１０１０Ａは、カップ５０の縁部の下に配置されることができる。抗スプラッシュ装置１０１０Ａの非平面状の実施形態のために、抗スプラッシュ装置１０１０Ａのいくつの部分は、カップの縁部で、又はカップの縁部で位置付けられることができ、カップの縁部で、又はカップの縁部の下に位置付けられることができる。
【０１０８】
いくつかの実施形態によれば、蓋５００に取り付けられる場合、抗スプラッシュ装置１０１０Ａは、カップの縁部と略同一の垂直方向で位置付けられる。他の実施形態において、蓋５００に取り付けられる場合に、抗スプラッシュ装置１０１０Ａは、カップの縁部の下約１／８インチである。しかしながら、他の構成において、抗スプラッシュ装置１０１０Ａが、カップの縁部の下１／８インチより高く、又はより低く配置されることができることは、認識されるであろう。
【０１０９】
さらに、いくつかの実施形態によれば、接続部材１０１６Ａは、約１／２インチから約３／４インチまでの直径を有している中空の円筒形状を備える。しかしながら、他の実施形態において、接続部材１０１６Ａは、非中空とされることができ、非中空の円筒形状を有することができ、及び／又は１／２インチから３／４インチまでの直径（又は他の比較可能な寸法）より大きい、又は小さい直径を有することができる。
【０１１０】
図２１Ｂは、カップ５０の蓋５００に取り付けられた抗スプラッシュ装置１０１０Ｂの他の実施形態を図示する。記述された実施形態において、抗スプラッシュ装置１０１０Ｂは、２つの接続部材１０１６Ｂを使用して蓋５００に取り付けられる。しかしながら、より少ない、又はより多い接続部材１０１６Ｂが蓋５００に抗スプラッシュ装置１０１０Ｂに取り付けるために使用されることは、認識されるであろう。いくつかの構成によれば、接続部材１０１６Ｂは、例えば、熱可塑性材料、紙ベースの材料、他の合成材料又は天然材料、及び／又は同様のものなどの、１つ又は複数の剛性材料又は略剛性材料を備える。
【０１１１】
図２１Ｂを続けて参照して、抗スプラッシュ装置１０１０Ｂは、抗スプラッシュ装置１０１０Ｂの中央部分が縁部の上に位置されるように、略凹形状を備える。しかしながら、他の実施形態において、抗スプラッシュ装置１０１０Ｂは、例えば、凸形状、平面状、非平面状、ドーム状、溝状、段状、不規則な形状、凹形状、鋸歯状、及び／又は同様のものなどの、任意の他の形状を有することができる。
【０１１２】
図２１Ｂにおいて、接続部材１０１６Ｂは、安定性を改善するために、互いに略対向する端部で、抗スプラッシュ装置１０１０Ｂに取り付けられる。他の実施形態において、接続部材１０１６Ｂは、抗スプラッシュ装置１０１０Ｂの縁部に多かれ少なかれ隣接して、１つ又は複数の他の位置で抗スプラッシュ装置１０１０Ｂに取り付けることができる。同様に、接続部材１０１６Ｂが蓋５００に取り付けられる正確な位置はまた、変えることができる。接続部材１０１６Ｂは、例えば、接着剤、ファスナ、超音波溶接、他の種類の溶接、スナップ嵌め接続及び／又は同様のものなど、１つ又は複数の一時的又は永続的な取付装置又は取付方法を使用して、抗スプラッシュ装置１０１０Ｂ及び／又は蓋５００に接合されることができる。他の実施形態において、抗スプラッシュ装置１０１０Ｂ及び／又は蓋５００は、（例えば、成型、熱成形、切り抜き、鋳造など）接続方法１０１６Ｂとして同一の構造から形成されることができる。
【０１１３】
図２１Ｂに図示された実施形態を続けて参照して、抗スプラッシュ装置１０１０Ｂは、他の実施形態に対して本願明細書に記載される、且つ図示される複数の開口部１０２０Ｂ、１０２４Ｂを備えることができる。複数の開口部１０２０Ｂ、１０２４Ｂに関するサイズ、形状、配置、間隔、及び他の詳細は、変えることができる。さらに、抗スプラッシュ装置１０１０Ｂのサイズ、形状、厚さ、他の寸法、カップの隣接する内壁からの間隔、及び／又は他の特性は、特定の用途又は使用によって所望される、又は必要とされるように、変えることができる。例えば、記述された実施形態において、抗スプラッシュ装置１０１０Ｂの外周とカップ５０の内壁との間に比較的小さな間隙が存在する。しかしながら、他の構成において、抗スプラッシュ装置１０１０Ｂの外側縁部は、カップ５０の隣接する内壁と接触することができる。さらなる他の実施形態において、抗スプラッシュ装置１０１０Ｂとカップの内部との間の間隙は、図２１Ｂで示される間隙より大きいとされることができる。
【０１１４】
いくつかの実施形態によれば、抗スプラッシュ装置１０１０Ｂ、接続部材１０１６Ｂ、及び／又は蓋５００は、互いに永続的に又は取り外し可能に接続されることができる。例えば、抗スプラッシュ装置１０１０Ｂ、接続部材１０１６Ｂ、及び蓋５００は、抗スプラッシュ装置１０１０Ｂ、接続部材１０１６Ｂ、及び蓋５００が使用中に容易に分離されることができないように、互いにしっかりと接合されることができる。しかしながら、他の構成において、１つ又は複数の別個の構成要素は、廃棄、運搬、保存、及び／又は他の手段又は活動を容易にするために、取り外し可能であり、及び／又は取り付け可能とされることができる。
【０１１５】
図２１Ｃに図示される実施形態の断面図において、抗スプラッシュ装置１０１０Ｃは、蓋５００Ｃの凹所領域５１８Ｃ内に固着される。示されるように、抗スプラッシュ装置１０１０Ｃ及び蓋５００Ｃは、抗スプラッシュ装置１０１０Ｃが蓋５００Ｃの環状リップ５２０Ｃ内にスナップ嵌めされるように、寸法決められる、形造られる、及び別の方法で構成される。図示された実施形態において、抗スプラッシュ装置１０１０Ｃは、中央開口部１０２６を備え、該中央開口部１０２６は、蓋５００Ｃの凹所領域５１８Ｃの内側及び外側で抗スプラッシュ装置１０１０Ｃを操るように、使用者を支援する。蓋に抗スプラッシュ装置を取り付ける１つ又は複数の他の取付方法及び／又は取付装置がまた、本願明細書に開示された取付方法及び取付装置の代わりに、又は開示された取付方法及び取付装置に追加して、使用されることは、認識されるであろう。
【０１１６】
図２１Ａから図２１Ｃを参照して議論されるそれらを含んでいる、抗スプラッシュ装置を蓋又は容器の他の部分に取り付けていることの様々な方法、装置、及び他の特徴又は特性は、本願明細書に記述される、且つ図示される抗スプラッシュ装置の任意の実施形態、又はその変形体のために使用されることができることは、認識されるであろう。
【０１１７】
図２２Ａ及び図２２Ｂは、カップ又は他の飲料容器内に配置されるために構成された抗スプラッシュ装置１１１０の他の実施形態を図示する。記述された抗スプラッシュ装置１１１０は、その上面に沿って位置された複数のリブ１１３０又はスピン（ｓｐｉｎｅ）を備える。しかしながら、抗スプラッシュ装置１１１０が、上面に沿って位置付けられるリブ１１３０の代わりに、又はリブ１１３０に追加して、その下面に沿って１つ又は複数のリブ又は他の部材を備えることができることは、認識されるであろう。他の実施形態に対して本願明細書で議論されるように、リブ１１３０及び他の部材は、抗スプラッシュ装置が、使用中に、望ましくないように、転覆しない、又は移動しないように、カップ内で抗スプラッシュ装置１１１０を安定化させるのに役立つことができる。リブ１１３０又は類似の部材はまた、抗スプラッシュ装置１１１０に美観的な価値、流体流れ又はチャンネルの利益、及び／又は同様のものを提供することができる。リブ１１３０又は他の部材に関する数量、サイズ、寸法、形状、間隔、抗スプラッシュ装置１１０に関連した方向、抗スプラッシュ装置１１１０との接続方法、及び他の詳細は、特定の用途又は使用によって所望される、又は必要とされるように変えることができる。例えば、リブ１１３０又は他の部材は、抗スプラッシュ装置１１１０と一体に（例えば、成形、鋳造、熱成形、型押しなど）形成されることができる、又は、その後１つ又は複数の取付装置又は取付方法を使用して、抗スプラッシュ装置１１１０に接合される別個の部材とされることができる。
【０１１８】
他の実施形態において、リブ１１３０又は他の部材は、抗スプラッシュ装置１１１０の形状をくぼませること、又は別の方法で変形することによって、形成されることができる。これは、抗スプラッシュ装置１１１０の一の側に隆起したリブ１１３０を生み出すことができ、反対側の側に対応する溝又は凹所を生み出すことができる。示されるように、抗スプラッシュ装置１１１０の一の側、又は両側に位置付けられたリブ１１３０、溝、又は他の部材は、略半径方向を有することができる。しかしながら、他の実施形態において、リブ１１３０、溝、又は他の部材は、抗スプラッシュ装置の一の面又は両面に沿って異なる方向（例えば、外周方向、他の非半径方向、ランダムなど）を有することができる。例えば、リブ１１３０又は溝の一般的な形状は、円形状、同心円形状、不規則形状、ランダム形状、又は同様のものとされることができる。そのようなリブ又は溝が、本願明細書に開示される、及び／又は図示される抗スプラッシュ装置のいずれかの実施形態に含まれることができることは、認識されるであろう。さらに、本願明細書に開示された抗スプラッシュ装置のいずれかは、他の実施形態の１つ又は複数の特徴又は特性を含むことができる。
【０１１９】
図２２Ａを続けて参照して、抗スプラッシュ装置１１１０における開口部１１２０、１１２４は、隣接するリブ１１３０、溝、又は他の部材の間に位置付けられることができる。図２２Ｂに図示される実施形態において、開口部１１２０、１１２４は、規則正しいパターンによって離隔される、且つ配置される。しかしながら、他の実施形態において、開口部の向きは、多かれ少なかれランダムとされることができる。さらに、開口部１１２０、１１２４の数量、サイズ、間隔、位置、形状、及び他の特性は、本願明細書に図示された開口部と異なることができる。
【０１２０】
図２２Ａにおいて、記述された抗スプラッシュ装置１１１０は、中央開口部１１２６を備える。いくつかの実施形態において、そのような中央開口部１１２６は、使用者がカップの内側又は外側に抗スプラッシュ装置１１１０を位置付けることを容易にすることができる。例えば、中央開口部１１２６は、カップの内部に対して抗スプラッシュ装置１１１０の位置を操作するために、使用者が中央開口部を通じて、使用者の指を配置することができるように構成されることができる。そのような中央開口部１１２６は、図２２Ａで図示された開口部と異なる位置、形状、サイズ、及び／又は他の特性を有することができる。さらに、抗スプラッシュ装置１１１０は、抗スプラッシュ装置の扱い及び位置付けをさらに容易にするために、２つ又は複数のそのような開口部１１２６を含むことができる。他の構成において、図２５Ａに図示される実施形態を参照して議論されるように、抗スプラッシュ装置は、１つ又は複数のハンドル又は他の把持部材を備えることができ、該１つ又は複数のハンドル又は他の把持部材は、使用者がカップ又は他の容器の内側及び／又は外側で抗スプラッシュ装置を選択的に操作するのに役立つことができる。抗スプラッシュ装置の把持を支援するそのような開口部及び／又はハンドルが、本願明細書で議論される、及び／又は図示される実施形態のいずれかとともに使用されることができることは、認識されるであろう。
【０１２１】
図２２Ａ及び図２２Ｂに示されるように、抗スプラッシュ装置１１１０は、変形可能な周囲縁部１１４０を備えることができる。そのような周囲縁部１１４０は、カップの内部に抗スプラッシュ装置１１１０を固着するのに役立つことができる。さらに、変形可能な周囲縁部１１４０は、抗スプラッシュ装置１１１０とカップの内壁との間に完全な封止又は部分的な封止を提供するのに役立つことができる。図示された実施形態において、周囲縁部１１４０は、抗スプラッシュ装置１１１０の円周全体の周りに略連続的である。しかしながら、他の実施形態において、周囲縁部１１４０は、抗スプラッシュ装置１１１０の外側部分の周りに断続して位置付けられることができる。
【０１２２】
図２２Ａ及び図２２Ｂを続けて参照して、変形可能な周囲縁部１１４０は、抗スプラッシュ装置１１１０の外側部分を、折り畳まれたパターン又はアコーディオン状のパターンに形造ることによって形成されることができる。それ故に、周囲縁部１１４０の隣接する折り目１１４２は、抗スプラッシュ装置１１１０が隣接する表面（例えば、カップの内壁）から摩擦抵抗を受けるように、伸張する、又は圧縮することができる。これは、使用者がカップの内部内に抗スプラッシュ装置１１１０を確実に位置付けるのに役立つことができる。さらに、いくつかの実施形態において、変形可能な周囲縁部１１４０は、抗スプラッシュ装置１１１０と飲料容器の内壁との間で部分的な封止又は完全な封止を形成することができる。他の実施形態に対して本願明細書で議論される、且つ／又は図示されるように、抗スプラッシュ装置の縁部は、異なる構成を有することができる。例えば、抗スプラッシュ装置は、変形可能な周囲縁部を有さないかもしれない。その代わりに、抗スプラッシュ装置は、カップ内部の隣接する表面を係合しないように構成されることができる。他の実施形態において、図２３Ａ及び図２５Ａの実施形態を参照して議論されるように、変形可能な周囲縁部は、異なる形状、サイズ、設計、及び／又は構成を有することができる。
【０１２３】
図２３Ａは、図２２Ａ及び図２２Ｂに関連して本願明細書で議論された実施形態に類似の抗スプラッシュ装置１２１０を図示する。示されるように、抗スプラッシュ装置１２１０は、その表面の一の表面又は両方の表面に沿って位置付けられる放射状に向けられた複数のリブ１２３０、溝、又は他の部材を含む。さらに、飲料、空気、及び／又は他の流体がそれらの開口部を通過することを可能にするように構成された複数の開口部１２２０、１２２４は、抗スプラッシュ装置１２１０の表面に沿って位置付けられることができる。抗スプラッシュ装置１２１０はまた、中央開口部１２２６、ハンドル、又は他の特徴も備えることができ、中央開口部１２２６、ハンドル、又は他の特徴は、抗スプラッシュ装置がカップの内部に挿入される、又は内部から取り除かれる場合に、抗スプラッシュ装置１２１０の操作を特に容易にする。
【０１２４】
抗スプラッシュ装置１２１０は、カップの内部内に抗スプラッシュ装置１２１０を固着する、及び／又は封止するために変形可能な周囲縁部１２４０を含むことができる。図２３Ｂの断面図に図示されるように、抗スプラッシュ装置１２１０の外側部分は、１つ又は複数のチャンネル１２５０又は溝を形成するように形造られることができる。図２３Ａ及び図２３Ｂにおいて、チャンネル１２５０は、湾曲した外側端部１２４８と内側リッジ１２４６とによって画定される。チャンネル１２５０は、抗スプラッシュ装置が成形されている、鋳造されている、熱成形されている、又は他の方法で製造されているのと同時に、形成されることができる。代替的には、チャンネル１２５０は、抗スプラッシュ装置が製造された後で、抗スプラッシュ装置を形造ることによって製造されることができる。さらなる他の実施形態において、変形可能な周囲縁部１２４０は、１つ又は複数の接続方法又は接続装置を使用して、抗スプラッシュ装置１２１０に取り付けられる別個の部材とされることができる。変形可能な周囲縁部１２４０は、抗スプラッシュ装置１２１０の外側部分の全体の周りに、連続的とされることができる。代替的には、変形可能な周囲縁部１２４０は、抗スプラッシュ装置１２１０の外側部分に沿って断続的に配置されることができる。
【０１２５】
使用中に、抗スプラッシュ装置１２１０がカップ内に降下されるにつれて、変形可能な周囲縁部１２４０は、カップの内壁に接触する。使用者がカップの内部内により深く抗スプラッシュ装置１２１０を移動し続ける場合、変形可能な周囲縁部１２４０の湾曲した外側端部１２４８は、内側リッジ１２４６に向けて移動するであろう。それによって、環状チャンネル１２５０を少なくとも部分的に折り畳む。これは、カップの内部に沿って抗スプラッシュ装置を固着するのに役立ち、及び／又は抗スプラッシュ装置１２１０とカップの内壁との間に部分的な封止又は完全な封止を形成するのに役立つ。いくつかの実施形態において、これは、変形可能な周囲縁部１２４０の少なくとも一部を、カップ又は他の容器の内壁に接触させ、それによって、そのような周囲縁部１２４０の一部を、カップの内壁の隣接する表面の形状に略一致させる。それに故に、特定の実施形態において、抗スプラッシュ装置がカップの内部内に十分遠くに押し込まれる場合に、変形可能な周囲縁部は、カップの内壁の隣接する部分と部分的な封止又は完全な封止を形成することができる。そのような変形可能な周囲縁部が本願明細書に記述され、且つ／及び図示される抗スプラッシュ装置の実施形態のいずれかにおいて含まれることができることは、認識されるであろう。
【０１２６】
本願明細書に記載されるように、いくつかの実施形態によって、抗スプラッシュ装置１２１０は、熱形成、鋳造、真空形成、成形、及び／又は任意の他の種類の製造方法を使用して製造されることができる。さらに、抗スプラッシュ装置１２１０は、例えば、高分子材料、熱可塑性材料、紙ベースの材料、フィルム、フォーム、及び／又は同様のものなどの１つ又は複数の天然材料又は合成材料から製造されることができる。
【０１２７】
図２４は、その外側部分に隣接して３つのフィンガーガイド１３５０を備える抗スプラッシュ装置１３１０の一の実施形態を図示する。示されるように、フィンガーガイド１３５０は、互いから略均一に離隔される。しかしながら、他の実施形態において、抗スプラッシュ装置がより多い又はより少ないフィンガーガイド１３５０を含むことができ、フィンガーガイド１３５０に関する位置、サイズ、形状、寸法、間隔、及び他の詳細が本願明細書に示される、且つ図示されるフィンガーガイドと異なることができることは、認識されるであろう。
【０１２８】
図２４を続けて参照して、フィンガーガイド１３５０は、ターゲットとされる接触点を提供し、該接触点で、使用者は、１つ又は複数の他の力、応力、モーメント、及び／又は同様のものを押圧する、又は作用することができる一方、抗スプラッシュ装置をカップ又は他の容器内に又は上で位置付けている。いくつかの実施形態において、フィンガーガイド１３５０は、抗スプラッシュ装置１３１０の隣接部分と同一又は隣接部分に類似である。例えば、フィンガーガイド１３５０を備えている領域は、抗スプラッシュ装置１３１０の隣接する部分の同一の材料から構成されることができ、同一の厚さ及び／又は１つ又は複数の他の特性を有することができる。代替的には、フィンガーガイド１３５０は、抗スプラッシュ装置１３１０の隣接する部分と異なる厚さ、形状、構造の材料、表面の特徴、又はテクスチャー、及び／又は他の特性を有することができる。
【０１２９】
いくつかの実施形態において、フィンガーガイド１３５０は、抗スプラッシュ装置１３１０の隣接する部分に対して隆起される、又は降下されることができる。他の実施形態において、フィンガーガイド１３５０は、抗スプラッシュ装置１３１０の１つ又は複数の他の部分に対して増大された構造的特性を有することができる。例えば、フィンガーガイド１３５０は、より厚くされ、より強い材料又はより耐久性のある材料から製造され、及び／又は同様のものから製造されることができる。他の実施形態において、フィンガーガイド１３５０は、補強している特徴、例えば構造的部材、組織、及び／又は同様のものなどを含むことができる。
【０１３０】
いくつかの実施形態において、フィンガーガイド１３５０は、独特な表面テクスチャーを備えることができ、独特な表面テクスチャーは、使用者がそれらの位置で、主として力を作用すべきであることを認識していることを容易にする。他の実施形態において、フィンガーガイド１３５０及び／又は抗スプラッシュ装置１３１０の他の部分は、例えば、「ここを押せ」とのテキストなどの指示を提供するテキスト、イメージ、又は他の表示を含むことができる。そのような指示表示は、抗スプラッシュ装置の表面に、又は表面に隣接して配置されることができる。代替的には、そのような指示は、カップ、カップの蓋、及び／又は同様のものの表面に、又は表面に隣接して配置されることができる。
【０１３１】
いくつかの実施形態によれば、フィンガーガイド１３５０は、抗スプラッシュ装置１３１０の１つ又は複数の他の部材とともに、使用者の望ましくない接触を低減する。例えば、飲料の販売者又は購買者は、フィンガーガイド１３５０以外の抗スプラッシュ装置１３１０の不必要な接触又は接触部なしで、カップ、蓋、又は同様のものの所望される位置内に抗スプラッシュ装置１３１０を位置付けることができる。これは、改善された衛生的な環境を提供することができる。例えば、抗スプラッシュ装置を扱っている使用者は、カップ、蓋、及び／又は同様のもの内に抗スプラッシュ装置を位置付ける場合に、抗スプラッシュ装置１３１０の特定の部分との接触を避けるように、促進されるであろう。さらに、フィンガーガイド１３５０の含有は、抗スプラッシュ装置１３１０が（例えば、表を上にして）カップ内に正確に位置づけられることを確実にするのに役立つことができ、及び／又は抗スプラッシュ装置１３１０が押圧力、引張力、及び／又は他の力及び応力の作用中に、損傷されないのに役立つことができる。
【０１３２】
１つ又は複数のフィンガーガイド又は類似の装置が本願明細書で議論される抗スプラッシュ装置の実施形態のいずれかに含まれることができることは、認識されるであろう。
【０１３３】
図２５Ａから図２５Ｆは、カップ又は他の飲料容器内に配置されるために構成される抗スプラッシュ装置１４１０の他の実施形態を図示する。記述された抗スプラッシュ装置１４１０は、図２３Ａを参照して図示される、且つ記述される実施形態に類似である。示されるように、抗スプラッシュ装置１４１０は、略円形状を有することができる。いくつかの実施形態によれば、抗スプラッシュ装置１４１０の外径は、約３．２インチである。しかしながら、抗スプラッシュ装置１４１０の形状、直径、他の寸法、及び／又は他の特性は、本願明細書に記載される、且つ議論される抗スプラッシュ装置と異なることができる。例えば、抗スプラッシュ装置１４１０の直径は、特定の用途又は使用によって所望される、又は要求されるように、３．２インチより大きい、又は小さいとされることができる。
【０１３４】
図２５Ａから図２５Ｆを続けて参照して、記述された抗スプラッシュ装置１４１０は、その表面の１つ又は複数の表面に沿って、複数の開口部１４２０、１４２４、リブ１４３０、及び／又は他の部材又は他の特徴を含むことができる。さらに、抗スプラッシュ装置１４１０は、有利には、ハンドル部１４６０又は類似の把持部材を含むことができる。そのようなハンドル部１４６０又は把持部材は、使用者がカップの内部に対して抗スプラッシュ装置を操作する（例えば、位置付けする、再位置付けする、取り除く）のに役立つことができる。図示された実施形態において、抗スプラッシュ装置は、その中央に、又はその中央に隣接して配置された単一のハンドル部１４６０を備える。しかしながら、他の配置構成において、ハンドル部１４６０又は他の把持部材の数量、位置、サイズ、形状、及び／又は他の詳細は、変えることができる。いくつかの実施形態において、抗スプラッシュ装置１４１０は、ハンドル部又は他の把持部材の代わりに、又はンドル部又は他の把持部材に追加して、抗スプラッシュ装置１４１０を操作するために使用されることができる開口又は他の開口部（図２３Ａに見られる）を含むことができる。
【０１３５】
図２５Ａに示されるように、ハンドル部１４６０は、上部リッジ１４６４及び隣接側面１４６６を備えることができる。いくつかの実施形態において、図２５Ａに図示されるように、隣接側面１４６６は、リッジ、テクスチャー及び／又は１つ又は他の特徴を含むことができる。そのようなリッジ又は特徴は、ハンドル部１４６の使用者の把持を改善することができ、抗スプラッシュ装置１４１０の美学をさらに高めるのに役立つことができる。本願明細書に議論される、且つ図示されるように、抗スプラッシュ装置１４１０は、例えば、成型、鋳造、熱成形、他の形成方法、及び／又は同様のものなど、１つ又は複数の方法を使用して製造されることができる。
【０１３６】
さらに、抗スプラッシュ装置１４１０は、例えば、熱可塑性材料（例えば、ポリスチレン）、紙製品、フォーム、及び／又は同様のものなど、１つ又は複数の合成材料及び／又は天然材料を備えることができる。ハンドル部１４６４、リブ１４３０、外側周囲縁部、及び／又は抗スプラッシュ装置１４１０の１つ又は複数の他の構成要素は、単一の部材又は、その後に互いに接合される２つ又は複数の部材として製造されることができる。さらに、本願明細書に開示される他の実施形態のように、図示された抗スプラッシュ装置１４１０は、その全体の表面の至るところで、プラスチック又は他の材料の単一層を備えることができる。代替的には、他の実施形態において、抗スプラッシュ装置１４１０は、その表面のすべて又は一部に沿って、プラスチック又は他の材料の２つ又は複数の層を備える。
【０１３７】
図２５Ｄ及び図２５Ｆの断面図を参照して、抗スプラッシュ装置１４１０は、カップ又は他の容器の内壁部を係合するように寸法決めされる、形造られる、且つ別の方法で構成される変形可能な周囲縁部１４４０を含むことができる。本願明細書に記載され、且つ／又は図示される他の実施形態のように、変形可能な周囲縁部１４４０は、抗スプラッシュ装置１４１０の周囲の全体の周りに連続していることができる。代替的には、周囲縁部１４４０は、抗スプラッシュ装置の周囲の選択的な区画に沿って、断続的に配置されることができる。
【０１３８】
図２５Ｄ及び図２５Ｆと連続して参照して、変形可能な周囲縁部１４４０は、略Ｕ字形状又は略Ｖ字形状のチャンネルを備え、該チャンネルは、内部空間１４４４を画定する。抗スプラッシュ装置１４１０がカップの内側及び／又は外側に移動されると、周囲縁部１１４４０は、カップの内壁の１つ又は複数の部分と接触する、又は部分を係合するように構成されることができる。例えば、抜け勾配を含むカップの内径は、増加している深さとともに一般的に減少する。それ故に、抗スプラッシュ装置１４１０がカップ内に降下されるにつれて、変形可能な周囲縁部１４４０は、カップの内壁と接触することができる。カップの内部により深く進み続ける状態で、周囲縁部１４４０は、変形し始めることができる。例えば、抗スプラッシュ装置１４１０の効果的な直径は、抗スプラッシュ装置１４１０の円周縁部が内側に移動し始めると、減少することができる。その結果、いくつかの実施形態において、周囲縁部１４４０によって画定された内部空間１４４４は、その圧縮されていない、通常状態に対して縮小することができる。
【０１３９】
いくつかの実施形態において、抗スプラッシュ装置１４１０の外側周囲縁部１４４０は、１つ又は複数の弾性材料又は弾性構造を備えることができる。その弾性がカップの内壁の方向で周辺縁部１４４０を円周方向外側に強いるように構成されることができると、これは、抗スプラッシュ装置１４１０とカップ又は他の容器との間の高められた封止を生み出すのに役立つことができる。図２５Ｆで図示されるように、抗スプラッシュ装置１４１０の最外部分１４４８は、垂直方向に対して角度１４７０を形成するように、形造られることができる。いくつかの実施形態において、この角度は、カップの抜け勾配と一致する、又は近似するように選択されることができる。抗スプラッシュ装置１４１０は、そのカップに配置されることができる。例えば、一の実施形態において、角度１４７０は、約２°から約２０°（例えば、５°、１０°、１５°など）である。しかしながら、他の構成において、角度１４７０は、特定の用途又は使用によって所望される、又は必要とされるように、２０°以上又は２°以下である。さらに他の実施形態において、角度１４７０は、カップの抜け勾配の方向、サイズ、任意の他の特性と一致する必要はない。
【０１４０】
いくつかの構成において、抗スプラッシュ装置１４１０の最外部分１４４８は、略平坦な表面又は略均一な表面を含まない。例えば、最外部分１４４８は、フリル状、さざ波状、段状、アコーディオン状に形成され、及び／又は、異なって構成されることができる。さらなる他の実施形態において、抗スプラッシュ装置は、その周囲縁部に沿って、２つ又は複数のＵ字形状又はＶ字形状のチャンネルを含むことができる。さらに、他の構成において、１つ又は複数の種類の変形可能な特徴は、本願明細書に記載される、且つ図示される周囲縁部の様々な実施形態の代わりに、又は実施形態に追加して、含まれることができる。例えば、抗スプラッシュ装置は、チャンネル又は他の圧縮可能な空間を備えていないソフトな材料、展性のある材料、又は他の変形可能な材料（例えば、ゴム、ソフトプラスチックなど）を含むことができる。
【０１４１】
使用中に、抗スプラッシュ装置１４１０は、使用者によってカップの内部に降下されることができる。いくつかの実施形態によれば、使用者は、ハンドル部１４６０、開口部１２２６（図２３Ａ）、及び／又は他の部材又は特徴を使用して、抗スプラッシュ装置１４１０を把持することができる。いくつかの実施形態において、抗スプラッシュ装置は、カップの縁部に近接して、及び／又は縁部のちょうど下に、カップの内壁を係合するように構成される。カップ内により深く抗スプラッシュ装置１４１０を進めることによって、使用者は、外側周囲縁部１４４０が、カップの内壁内に抗スプラッシュ装置１４１０をぴったりと固着するように、及び／又は、抗スプラッシュ装置１４１０とカップの内壁と間に高められた封止を形成するように、押圧させることができる。議論されるように、これは、使用中に、カップに対して抗スプラッシュ装置１４１０の望まれない除去を防止するのに役立つことができる。さらに、そのような比較的堅固な嵌め合いは、抗スプラッシュ装置に亘って起こる熱損失の量を低減するのに役立つことができる。いくつかの実施形態によれば、カップの内部内に抗スプラッシュ装置１４１０を進めることは、カップの内壁と抗スプラッシュ装置１４１０の最外部分１４４８との間の接触領域を増加する。いくつかの実施形態において、抗スプラッシュ装置１４１０の最外部分１４４８は、形状、抜け勾配、及び／又はカップの他の特性に略適合することができる。その結果、抗スプラッシュ装置１４１０の最外部分１４４８の少なくとも一部は、カップの内壁と接触し、カップの内壁と略同一の抜け勾配を有することができる。
【０１４２】
さらに、使用者は、ハンドル部１４６０又はいくつかの他の特徴を使用して、抗スプラッシュ装置を取り除く、又は再位置決めする（例えば、上向き又は下向きに移動する、水平方向に対して角度を傾斜する、又は変化する）ことができる。好ましくは、抗スプラッシュ装置１４１０がカップ内に固着されると、蓋又は他の部材は、カップの縁部に選択的に取り付けられることができる。抗スプラッシュ装置は、特定の用途によって所望される、又は必要とされるように、使い捨て可能又は再使用可能であることができる。例えば、抗スプラッシュ装置１４１０は、（例えば、ポリスチレン又は１つ又は複数の熱可塑性材料から熱成形される）単一の使用アイテムとして製造されることができる。抗スプラッシュ装置がより耐久性がある高価な材料（例えば、ステンレス鋼、又は他の金属）を備える場合に、抗スプラッシュ装置は、取り除かれ、且つ再使用されることができる。
【０１４３】
図２５Ａから図２５Ｆをさらに参照して、抗スプラッシュ装置は、カップの縁部に隣接して、又は縁部の下に、固着されるように寸法決めされ、形造られ、構成されることができる。抗スプラッシュ装置１４１０がカップの縁部に、又は縁部に隣接して位置されるように構成される実施形態において、抗スプラッシュ装置１４１０は、特定の追加の利益を提供することができる。例えば、抗スプラッシュ装置１４１０は、カップが、（例えば、カップを持つ使用者による把持力、カップの外側部分を接触するいくつかの物体による衝撃力など）内力及び／又は外力の結果として、形状を変形する、形状を折り畳む、又は別の方法で形状を変える可能性が高くないので、カップの上部の構造的な一体性を高めることができる。これは、飲料又はカップの他の内容物が偶然にこぼれる、危険にさらされないことを確実にするのに役立つことができる。さらに、そのような構成は、蓋又は他の閉鎖部材が使用中に、カップに固着して取り付けられることを維持することを確実にするのに役立つことができる。
【０１４４】
さらに、議論されるように、カップの縁部で、縁部に隣接して、又は縁部のちょうど下に抗スプラッシュ装置１４１０を有することは、飲料がカップの縁部と蓋との間の接合面で漏れないことを確実にするのに役立つことができる。ある一般的なカップの設計は、製造処理の部分として、存在するシーム（例えば、使い捨て可能な紙製コーヒーカップにおける垂直方向の重なるシーム）又は他の類似の特徴を含む。抗スプラッシュ装置１４１０は、カップが隣接する蓋又は他の閉鎖装置と略粗末な封止を別な方法で形成するカップの縁部に隣接してシームを封止するのに役立つことができる。その結果、所望されない漏れは、低減されることができ、又は防止されることができる。
【０１４５】
図２５Ａから図２５Ｆで図示される実施形態を参照して議論されるような外側周囲縁部１４４０が、本願明細書に記載される、且つ／又は図示されるスプラッシュ装置の任意の他の実施形態又はその変形実施形態内に含まれることができることは、認識されるであろう。
【０１４６】
図２６及び図２７は、その上面に、又は上面に隣接して位置付けられる複数のフィンガーガイド２４５０を有するカップの蓋２４００を図示する。示されるように、蓋２４００は、互いから約１２０°で離隔される合計で３つのフィンガーガイド２４５０を備える。図２４に図示される抗スプラッシュ装置に対して本願明細書で議論されるように、フィンガーガイド２４５０の数量、サイズ、間隔、位置、形状、寸法、構造の材料、及び／又は他の特性又は性質は、特定の用途又は使用によって所望される、又は必要とされるように変えることができる。
【０１４７】
図２６及び図２７に図示される蓋を続けて参照して、フィンガーガイド２４５０は、蓋２４００の上面の外側縁部に隣接して位置付けられることができる。しかしながら、議論されるように、フィンガーガイド２４５０は、異なる位置で位置付けられることができ、異なる寸法又は異なる形状を有することができ、他の実施形態と異なって構成されることができる。図２６及び図２７に記載されるフィンガーガイド２４５０は、蓋２４００の上面に対して傾斜され、同様に蓋２４００の側部の円筒面に対して傾斜される。いくつかの実施形態において、隣接する表面に対する角度は、０°と９０°と間で変えることができる。さらに、フィンガーガイド２４５０は、テクスチャーされることができ、又は使用者が、蓋がフィンガーガイド２４５０で接触される、及び／又は操作されるべきであると確定するのに役立つ、１つ又は複数の他の特徴を有することができる。
【０１４８】
フィンガーガイド１３５０、２４５０の表面は、平面状又は非平面状とされることができる。例えば、いくつかの実施形態において、フィンガーガイドは、使用者の指に対する感覚を高めるために、凸面状、又は凹面状とされることができる。議論されるように、フィンガーガイドの表面は、テクスチャーされる、又は滑らかとされることができる。
【０１４９】
使用中に、抗スプラッシュ装置及び／又は蓋は、フィンガーガイドを使用して、カップに対して、接触される、把持される、及び／又は押圧される。例えば、抗スプラッシュ装置は、そのフィンガーガイドに沿って押圧することによって、蓋内に、カップ内に、及び／又は、任意の他の位置に、押圧されることができる。同様に、カップの蓋は、フィンガーガイドに押圧力を作用することによって、カップの縁部にスナップ嵌めされることができる。それ故に、フィンガーガイド１３５０、２４５０は、そのような抗スプラッシュ装置の使用者のために、好ましい接触点を提供する。その結果、押圧された抗スプラッシュ装置の構造的な一体性は、維持されることができる。さらに、フィンガーガイドは、特定の衛生的な利点を提供し、それによって、そのような抗スプラッシュ装置の他の部分との接触が生じる汚染の危険性が、有利には、低減される、又は取り除かれることができる。
【０１５０】
図２９は、その凹所領域内に抗スプラッシュ装置２５１０を受容するために構成されるカップの蓋２４００を図示する。これは、図２１Ｃに図示された実施形態に類似である。カップの蓋２４００は、上記で議論されるように、１つ又は複数のフィンガーガイド２４５０を含む。いくつかの実施形態において、抗スプラッシュ装置２５１０は、蓋２４００のフィンガーガイド２４５０の代わり、又はフィンガーガイド２４５０に追加して、１つ又は複数のフィンガーガイド（図示せず）を含むことができる。それ故に、抗スプラッシュ装置２５１０及び蓋２４００が、蓋２４００の意図された部分内に抗スプラッシュ装置２５１０を係合するように、互いに対して押圧される場合に、有利には、使用者は、フィンガーガイドで蓋２４００及び／又は抗スプラッシュ装置２５１０を操作することができる。
【０１５１】
議論されるように、本願明細書に記載され、且つ図１Ａから図２８に図示される抗スプラッシュ装置の実施形態のいずれかは、平面状の形状又は非平面状の形状を備えることができる。たとえば、抗スプラッシュ装置の形状は、平面状、非平面状、湾曲した形状（例えば、凸形状、凹形状）、ドーム状、球形状、円錐形状、段状、波形状、カール状、溝状、チャンネル状、不規則な形状、及び／又は同様のものとされることができる。さらに、そのような実施形態は、１つ又は複数の他の実施形態に記載される、及び／又は図示される特徴及び／又は特性を備えることができる。
【０１５２】
さらに、本願明細書に開示された抗スプラッシュ装置、例えば、図１Ａ〜２、５、６、８Ａ〜９Ｂ、１６Ｂ、１７Ａ〜２０Ｂ、２２Ａ−２２Ｆに図示された抗スプラッシュ装置のいくつかの実施形態、本願明細書に開示された他の実施形態、その変形実施形態などは、蓋に取り付けられない独立した部材として、又は、蓋又は他の閉鎖装置内に組み込まれる、又は蓋又は他の閉鎖装置に別の方法で取り付けられる部材として、使用されるように構成される。例えば、本願明細書に議論され、及び図示されるように、そのような抗スプラッシュ装置が蓋又は他の閉鎖部材から分離する実施形態において、抗スプラッシュ装置は、カップの内部に自由に浮かんでいるように構成されることができる。他の実施形態において、そのような抗スプラッシュ装置は、カップの１つ又は複数の部分（例えば、カップの内壁）に固着する、部分を係合する、部分と接触する、及び／又は別の方法で部分と相互作用するように構成されることができる。蓋、他の閉鎖部材、又は同様のものと接触する、蓋、他の閉鎖部材、又は同様のものに取り付ける、蓋、他の閉鎖部材、又は同様のものと関連するように構成されていない抗スプラッシュ装置は、独立の装置又は部材、自由に浮かんでいる装置又は部材、独立型の装置又は部材、結合されていない装置又は部材、独立した装置又は部材、自由な装置又は部材、分離された装置又は部材、分離された装置又は部材、別個の装置又は部材、内部装置又は部材、及び／又は同様のものとされることができる。
【０１５３】
代替的には、本願明細書に記載され、且つ図示される抗スプラッシュ装置の複数の実施形態のいずれかの実施形態は、蓋、他の閉鎖部材、及び／又はカップシステムの他の部分の一部として含まれるように、変更される、又は別の方法で適合されることができる。そのような抗スプラッシュ装置は、組み込まれた装置、部材、又は蓋、係合された装置、部材、又は蓋、タンデム型の装置、部材、又は蓋、接合された装置、部材、又は蓋、単一の装置、部材、又は蓋、組み合わされた装置、部材、又は蓋、及び／又は同様のものとされることができる。
【０１５４】
この発明が、特定の好ましい実施形態及び例の文脈で開示されるけれども、本発明が特別に開示された実施形態を超えて、他の代替的な実施形態及び／又は本発明の使用、及び様々な変更及びその相当物まで延在することは、当業者によって理解されるであろう。さらに、本願発明の複数の変形体が詳細に示される、且つ記載される一方、この発明の技術的範囲内である他の変更は、この開示に基づいて当業者に、容易に明白になるであろう。実施形態の特定の特徴及び態様の様々な組み合わせ又はサブ組み合わせは、本願明細書の技術的範囲内でなされることができ、且つ本願明細書の技術的範囲内に既に収まることができる。従って、開示された実施形態の様々な特徴及び態様が開示された発明の変形モードを形成するように、互いに組み合わせられ、且つ互いに置き換えられることができることは、理解されるべきである。それ故に、本願明細書に開示された本発明の技術的範囲が、上記の特定の開示された実施形態によって限定されることなく、以下の特許請求の範囲の正しい解釈によってのみ確定されるべきであることは、理解されるであろう。
【符号の説明】
【０１５５】
１０  １０Ａ  １０Ｂ  １０Ｃ  １０Ｄ  抗スプラッシュ装置
１２  上部分
１４  下部分
１８  切抜パターン
２０  ２０Ａ  ２０Ｂ  ２０Ｃ  ２０Ｄ  開口部
２１Ｂ  ２１Ｃ  フラップ部材
２２  ライン
２２Ｄ  開口部
２４  開口部
２６  ライン
３０  密封部材（密封部分）
３０Ａ  ３０Ｂ  ３０Ｃ  タブ
３０Ｄ  外側周囲
３４  突出部
３６  延在タブ部材
５０  カップ
５２  上部開口部
５４  縁
５６  メインカップ部分
５８  上部分（縁部）
５９  スコア
７０  マグカップ
７４  蓋
１１０  抗スプラッシュ装置
１１２  メイン本体部
１１４  係合部分
１２０  開口部
２１０  抗スプラッシュ装置
２１６  リップ
２２０  開口部
３１０  抗スプラッシュ装置
３１６  リップ部材
４１０  抗スプラッシュ装置
４１２  メイン本体部
４１４  係合部分
４２０  開口部
４２４  開口部
５００  ５００Ｃ  蓋
５０２  飲み口
５０３  通気孔
５０４  外周縁部
５０５  円筒部分
５０６  内部ループ領域
５１０  受容部材
５１８Ｃ  凹所領域
５２０Ｃ  環状リップ
５６０  中間部材
５６２  下部分
５６６  上部分
５７０  内部抗スプラッシュ装置
６１０  抗スプラッシュ装置
７１０Ａ、７１０Ｂ、７１０Ｃ、７１０Ｄ  ７１０Ｅ  ７１０Ｆ  抗スプラッシュ装置
７１１Ｅ  チャンネル部
７１２Ｅ  上部位置
７１３Ｅ  下部位置
７２０Ａ、７２０Ｂ、７２０Ｃ、７２０Ｄ、７２０Ｅ、７２０Ｆ、７２０Ｇ  開口部
７２４Ａ、７２４Ｂ、７２４Ｃ、７２４Ｄ  開口部
８１０  抗スプラッシュ装置
８１４  上面
８１６  底面
８２０  開口部
８２４  開口部
８３０  リブ
９１０  抗スプラッシュ装置
９２０  上部開口部
９２４  上部開口部
９３０  増大された部分
９３２  内部キャビティー
９３６  底部開口部
１０１０Ａ  １０１０Ｂ  １０１０Ｃ  抗スプラッシュ装置
１０１８Ａ  傾斜された側壁
１０１６Ａ  １０１６Ｂ  接続部材
１０２０  １０２０Ｂ  開口部
１０２４  １０２４Ｂ  開口部
１０２６  中央開口部
１１１０  抗スプラッシュ装置
１１２０  開口部
１１２４  開口部
１１２６  中央開口部
１１３０  リブ
１１４０  変形可能な周囲縁部
１１４２  折り目
１２１０  抗スプラッシュ装置
１２２０  開口部
１２２４  開口部
１２２６  中央開口部
１２３０  リブ
１２４０  変形可能な周囲縁部
１２４６  内側リッジ
１２４８  外側端部
１２５０  チャンネル
１３１０  抗スプラッシュ装置
１３５０  フィンガーガイド
１４１０  抗スプラッシュ装置
１４２０  開口部
１４２４  開口部
１４３０  リブ
１４４０  周囲縁部
１４４４  内部空間
１４４８  最外部分
１４６０  ハンドル部
１４６４  上部リッジ
１４６６  隣接側面
１４７０  角度
２４００  蓋
２４５０  フィンガーガイド
２５１０  抗スプラッシュ装置
Ｂ  高さ
Ｈ  水平線
【図１Ａ】
2010510941.tif 000003
【図１Ｂ】
2010510941.tif 000004
【図１Ｃ】
2010510941.tif 000005
【図２】
2010510941.tif 000006
【図３Ａ】
2010510941.tif 000007
【図３Ｂ】
2010510941.tif 000008
【図４Ａ】
2010510941.tif 000009
【図４Ｂ】
2010510941.tif 000010
【図５】
2010510941.tif 000011
【図６】
2010510941.tif 000012
【図７Ａ】
2010510941.tif 000013
【図７Ｂ】
2010510941.tif 000014
【図７Ｃ】
2010510941.tif 000015
【図８Ａ】
2010510941.tif 000016
【図８Ｂ】
2010510941.tif 000017
【図９Ａ】
2010510941.tif 000018
【図９Ｂ】
2010510941.tif 000019
【図１０】
2010510941.tif 000020
【図１１Ａ】
2010510941.tif 000021
【図１１Ｂ】
2010510941.tif 000022
【図１１Ｃ】
2010510941.tif 000023
【図１２Ａ】
2010510941.tif 000024
【図１２Ｂ】
2010510941.tif 000025
【図１２Ｃ】
2010510941.tif 000026
【図１３Ａ】
2010510941.tif 000027
【図１３Ｂ】
2010510941.tif 000028
【図１３Ｃ】
2010510941.tif 000029
【図１４Ａ】
2010510941.tif 000030
【図１４Ｂ】
2010510941.tif 000031
【図１５】
2010510941.tif 000032
【図１６Ａ】
2010510941.tif 000033
【図１６Ｂ】
2010510941.tif 000034
【図１７Ａ】
2010510941.tif 000035
【図１７Ｂ】
2010510941.tif 000036
【図１７Ｃ】
2010510941.tif 000037
【図１７Ｄ】
2010510941.tif 000038
【図１８Ａ】
2010510941.tif 000039
【図１８Ｂ】
2010510941.tif 000040
【図１８Ｃ】
2010510941.tif 000041
【図１９Ａ】
2010510941.tif 000042
【図１９Ｂ】
2010510941.tif 000043
【図２０Ａ】
2010510941.tif 000044
【図２０Ｂ】
2010510941.tif 000045
【図２１Ａ】
2010510941.tif 000046
【図２１Ｂ】
2010510941.tif 000047
【図２１Ｃ】
2010510941.tif 000048
【図２２Ａ】
2010510941.tif 000049
【図２２Ｂ】
2010510941.tif 000050
【図２３Ａ】
2010510941.tif 000051
【図２３Ｂ】
2010510941.tif 000052
【図２４】
2010510941.tif 000053
【図２５Ａ】
2010510941.tif 000054
【図２５Ｂ】
2010510941.tif 000055
【図２５Ｃ】
2010510941.tif 000056
【図２５Ｄ】
2010510941.tif 000057
【図２５Ｅ】
2010510941.tif 000058
【図２５Ｆ】
2010510941.tif 000059
【図２６】
2010510941.tif 000060
【図２７】
2010510941.tif 000061
【図２８】
2010510941.tif 000062
【国際調査報告】
2010510941.tif 000063